(57)【要約】  本発明に係る抵抗変化型不揮発性記憶装置（１００）は、複数の第１信号線と複数の第２信号線との交差点に配置されている複数のメモリセル（１０）を備え、複数のメモリセル（１０）の各々は、抵抗変化素子（１）と、抵抗変化素子（１）に直列に接続されている電流制御素子（２）とを含み、抵抗変化型不揮発性記憶装置（１００）は書き込み回路（１０５）と、行選択回路（１０３）及び列選択回路（１０４）とを備え、書き込み回路（１０５）は、行選択回路（１０３）及び列選択回路（１０４）の一方の回路から遠い位置に配置されているブロック（１２０）から、前記一方の回路に近い位置に配置されているブロック（１２０）へ向かう順に、順次ブロック（１２０）を選択し、選択したブロック（１２０）に含まれる複数のメモリセル（１０）に初期ブレイクを行う。
2012164926.tif 000002
【特許請求の範囲】
【請求項１】
複数の第１信号線と、前記複数の第１信号線に交差する複数の第２信号線と、前記複数の第１信号線と前記複数の第２信号線との交差点に配置されているメモリセルを複数有するメモリセルアレイとを備える抵抗変化型不揮発性記憶装置であって、
前記複数のメモリセルの各々は、予め定められた第１の極性の第１の電圧が印加されると第１範囲に属する抵抗値の低抵抗状態に変化し、かつ前記第１の極性とは逆の極性である第２の極性の第２の電圧が印加されると前記第１範囲よりも高い第２範囲に属する抵抗値の高抵抗状態に変化する抵抗変化素子と、前記抵抗変化素子に直列に接続されている２端子の電流制御素子とを含み、
前記抵抗変化型不揮発性記憶装置は、
前記メモリセルに、対応する前記第１信号線及び前記第２信号線を介して、絶対値が前記第１の電圧以上の前記第１の極性の低抵抗化電圧を印加することにより、前記抵抗変化素子を前記低抵抗状態に変化させる低抵抗化書き込みと、前記メモリセルに、対応する前記第１信号線及び前記第２信号線を介して、絶対値が前記第２の電圧以上の前記第２の極性の高抵抗化電圧を印加することにより、前記抵抗変化素子を前記高抵抗状態に変化させる高抵抗化書き込みとを行う書き込み回路と、
前記複数の第１信号線のいずれかを選択する第１選択回路と、
前記複数の第２信号線のいずれかを選択する第２選択回路とを備え、
前記複数のメモリセルは、複数のブロックに分割されており、
前記複数のブロックの各々は、複数のメモリセルを含み、
前記書き込み回路は、さらに、
前記抵抗変化型不揮発性記憶装置が製造された後の初期状態の前記抵抗変化素子に対し、対応する前記第１信号線及び前記第２信号線を介して、前記低抵抗化電圧及び前記高抵抗化電圧の絶対値より絶対値が大きい初期ブレイク電圧を印加することにより、前記抵抗変化素子を、前記低抵抗化書き込み及び前記高抵抗化書き込みにより抵抗変化が可能な状態に遷移させる初期ブレイクを行い、
前記初期ブレイクにおいて、前記第１選択回路により選択された第１信号線及び前記第２選択回路により選択された第２信号線に、前記第１選択回路及び前記第２選択回路を介して前記初期ブレイク電圧を印加し、
前記複数のブロックのうち、前記第１選択回路及び前記第２選択回路の少なくとも一方の回路から最も遠い位置に配置されているブロックから、前記いずれか一方の回路に最も近い位置に配置されているブロックへ向かう順に、順次ブロックを選択し、選択したブロックに含まれる複数のメモリセルに前記初期ブレイクを行う
抵抗変化型不揮発性記憶装置。
【請求項２】
前記書き込み回路は、選択した各ブロックに含まれる複数のメモリセルのうち、前記第１選択回路及び前記第２選択回路の少なくとも一方の回路から最も遠い位置に配置されているメモリセルから、前記いずれか一方の回路に最も近い位置に配置されているメモリセルへ向かう順に、順次メモリセルを選択し、選択したメモリセルに前記初期ブレイクを行う
請求項１記載の抵抗変化型不揮発性記憶装置。
【請求項３】
前記書き込み回路は、前記第１選択回路から最も遠い位置に配置されており、かつ前記第２選択回路から最も遠い位置に配置されているブロックから、前記第１選択回路に最も近い位置に配置されており、かつ前記第２選択回路に最も近い位置に配置されているブロックへ向かう順に、ジグザグに順次ブロックを選択し、選択したブロックに含まれる複数のメモリセルに前記初期ブレイクを行う
請求項１記載の抵抗変化型不揮発性記憶装置。
【請求項４】
前記複数のブロックは、行列状に配置されており、
前記書き込み回路は、
ブロック単位の行及び列の一方であり、前記第１信号線に沿う方向の複数のラインのうち、前記第２選択回路から最も遠い位置に配置されているラインから、前記第２選択回路に最も近い位置に配置されているラインへ向かう順に、順次ラインを選択し、
選択したラインに配置されている複数のブロックのうち、前記第１選択回路から最も遠い位置に配置されているブロックから、前記第１選択回路に最も近い位置に配置されているブロックへ向かう順に、順次ブロックを選択する
請求項１記載の抵抗変化型不揮発性記憶装置。
【請求項５】
前記抵抗変化型不揮発性記憶装置は、さらに、
前記第１信号線の前記ブロックの間の各々に設けられている複数のブロック間スイッチを含み、
前記書き込み回路は、選択した第１ブロックに含まれる複数のメモリセルの前記初期ブレイクを行ったのち、当該第１ブロックと、当該第１ブロックに対して前記一方の回路側に隣接する第２ブロックとの間に設けられている前記ブロック間スイッチをオフしたうえで、前記第２ブロックに前記初期ブレイクを行う
請求項１記載の抵抗変化型不揮発性記憶装置。
【請求項６】
前記抵抗変化型不揮発性記憶装置は、さらに、
前記書き込み回路から前記複数のメモリセルへ流れる電流の経路に挿入され、前記複数のメモリセルを高抵抗状態に変化させる第１方向の電流と、前記複数のメモリセルを低抵抗状態に変化させる第２方向の電流とのうち、前記第１方向の電流のみを制限する電流制限回路を備え、
前記書き込み回路は、前記初期ブレイクにおいて、前記メモリセルに、前記第２の極性の前記初期ブレイク電圧を印加し、
前記電流制限回路は、前記初期ブレイクにおいて、前記経路に流れる前記第１方向の電流を制限する
請求項１〜５のいずれか１項に記載の抵抗変化型不揮発性記憶装置。
【請求項７】
前記各メモリセルは、接続されている第１信号線と第２信号線とを介して、前記第１信号線の電圧が前記第２信号線の電圧よりも高い前記第１の極性の第１の電圧が印加されたときに前記低抵抗状態に変化し、前記第１の極性とは逆の前記第２の極性の第２の電圧が印加されたときに前記高抵抗状態に変化し、
前記書き込み回路は、前記第１の電圧以上の第１駆動電圧を発生する第１駆動回路と、前記第２の電圧以上の第２駆動電圧を発生する第２駆動回路と、前記第１駆動電圧の基準となる電圧を発生する第３駆動回路と、前記第２駆動電圧の基準となる電圧を発生する第４駆動回路とを有し、
前記第１選択回路は、前記複数の第１信号線の中から１つの第１信号線を選択し、選択した１つの第１信号線と、前記第１駆動回路及び前記第４駆動回路とを接続し、
前記第２選択回路は、前記複数の第２信号線の中から１つの第２信号線を選択し、選択した１つの第２信号線と、前記第２駆動回路及び前記第３駆動回路とを接続し、
前記電流制限回路は、前記第４駆動回路と前記第１選択回路との間に挿入されている
請求項６記載の抵抗変化型不揮発性記憶装置。
【請求項８】
前記各メモリセルは、接続されている第１信号線と第２信号線とを介して、前記第１信号線の電圧が前記第２信号線の電圧よりも高い前記第１の極性の第１の電圧が印加されたときに前記低抵抗状態に変化し、前記第１の極性とは逆の前記第２の極性の第２の電圧が印加されたときに前記高抵抗状態に変化し、
前記書き込み回路は、前記第１の電圧以上の第１駆動電圧を発生する第１駆動回路と、前記第２の電圧以上の第２駆動電圧を発生する第２駆動回路と、前記第１駆動電圧の基準となる電圧を発生する第３駆動回路と、前記第２駆動電圧の基準となる電圧を発生する第４駆動回路とを有し、
前記第１選択回路は、前記複数の第１信号線の中から１つの第１信号線を選択し、選択した１つの第１信号線と、前記第１駆動回路及び前記第４駆動回路とを接続し、
前記第２選択回路は、前記複数の第２信号線の中から１つの第２信号線を選択し、選択した１つの第２信号線と、前記第２駆動回路及び前記第３駆動回路とを接続し、
前記電流制限回路は、前記第２駆動回路と前記第２選択回路との間に挿入されている
請求項６記載の抵抗変化型不揮発性記憶装置。
【請求項９】
前記電流制限回路は、前記初期ブレイク電圧の前記メモリセルへの供給を開始した後、かつ、前記メモリセルが前記初期ブレイクされる前である第１期間において、第１電流値まで前記経路に流れる前記第１方向の電流を制限し、前記第１期間の後であり、かつ、前記メモリセルが前記初期ブレイクされる時点を含む第２期間において、第１電流値より小さい第２電流値まで前記経路に流れる前記第１方向の電流を制限する
請求項６〜８のいずれか１項に記載の抵抗変化型不揮発性記憶装置。
【請求項１０】
前記電流制限回路は、前記第１信号線又は前記第２信号線の電圧が予め定められた電圧に達したか否かを検出し、前記第１信号線又は前記第２信号線の電圧が前記予め定められた電圧に達した場合に、制限する電流を前記第１電流値から前記第２電流値に変更する
請求項９記載の抵抗変化型不揮発性記憶装置。
【請求項１１】
前記抵抗変化型不揮発性記憶装置は、さらに、
容量負荷素子と、
前記電流制限回路と前記第１選択回路との間のノードと、前記容量負荷素子との間の導通及び非導通を切り替える選択スイッチとを備え、
前記選択スイッチは、前記初期ブレイク時に前記ノードと前記容量負荷素子とを導通させる
請求項７記載の抵抗変化型不揮発性記憶装置。
【請求項１２】
前記抵抗変化型不揮発性記憶装置は、さらに、
容量負荷素子と、
前記電流制限回路と前記第２選択回路との間のノードと、前記容量負荷素子との間の導通及び非導通を切り替える選択スイッチとを備え、
前記選択スイッチは、前記初期ブレイク時に前記ノードと前記容量負荷素子とを導通させる
請求項８記載の抵抗変化型不揮発性記憶装置。
【請求項１３】
前記抵抗変化素子は、第１電極と、第２電極と、前記第１電極及び前記第２電極に挟まれた遷移金属酸化物層とを有し、
前記遷移金属酸化物層は、前記第１電極と接する酸素不足型の第１の遷移金属酸化物層と、前記第２電極と接し前記第１の遷移金属酸化物層よりも酸素不足度が少ない第２の遷移金属酸化物層とを含む
請求項１〜１２のいずれか１項に記載の抵抗変化型不揮発性記憶装置。
【発明の詳細な説明】
【技術分野】
【０００１】
本発明は、電気的信号に基づいて可逆的に抵抗値が変化する抵抗変化素子と電流制御素子とを含むメモリセルを有する抵抗変化型不揮発性記憶装置に関する。
【背景技術】
【０００２】
近年、抵抗変化素子を用いて構成されたメモリセルを有する不揮発性記憶装置の研究開発が進んでいる。抵抗変化素子とは、電気的信号によって抵抗値が可逆的に変化する性質を有し、さらにはこの抵抗値に対応したデータを、不揮発的に記憶することが可能な素子をいう。【０００３】
抵抗変化素子を用いた不揮発性記憶装置として、いわゆる１Ｔ１Ｒ型クロスポイントメモリと呼ばれる、メモリセルをマトリクス状にアレイ配置した不揮発性記憶装置が一般的に知られている。この１Ｔ１Ｒ型クロスポイントメモリでは、直交するように配置されたビット線とワード線との交点の位置に、直列に接続されたトランジスタと抵抗変化素子とを含むメモリセルが配置される。【０００４】
また、さらなる高集積化を目指して、いわゆる１Ｄ１Ｒ型クロスポイントメモリと呼ばれる、メモリセルをマトリクス状にアレイ配置した不揮発性記憶装置が知られている。この１Ｄ１Ｒ型クロスポイントメモリでは、直交するように配置されたビット線とワード線との交点の位置にメモリセルが配置される。このメモリセルは、電流制御素子として機能する双方向ダイオード素子と、当該双方向ダイオード素子に直列に接続された抵抗変化素子とを含む。また、１Ｄ１Ｒ型クロスポイントメモリのメモリセルを多層に積層した不揮発性記憶装置も知られている。従来、このような抵抗変化素子を用いた不揮発性記憶装置のメモリセルの書き込み方法について、様々な方法が提案されている。【０００５】
特許文献１では、１Ｄ１Ｒ型クロスポイントメモリのメモリセルについて、メモリセルの初期化を行う動作である初期ブレイク動作における、ワード線及びビット線に対する電圧の与え方が提案されている。図２０は、その中で示されている不揮発性記憶装置のメモリセルアレイの構成を示す図である。また、図２１は、同じくメモリセルアレイを初期ブレイクする時に、選択ワード線、非選択ワード線、選択ビット線、及び非選択ビット線に与えられる電圧波形を示している。【０００６】
特許文献１の不揮発性記憶装置は、選択ワード線に選択電位（この図ではＶＳＳ）を与えると同時に、複数の選択ビット線をフローティング状態にする。これにより、初期ブレイクが終了したメモリセルが接続されたビット線は個々に電圧が低下する。よって、初期ブレイク時間がビットによってばらついても、安定して初期ブレイクが行われる。【０００７】
特許文献２では、１Ｒ型クロスポイントメモリのメモリセルについて、メモリセルの書き換え動作を行う時の、書き換えの順番を決定する方法が提案されている。図２２は、その中で示されている不揮発性記憶装置のメモリセルアレイの構成を示す図である。また、図２３は、そのメモリセルアレイに対する書き換えを行う順序を示している。【０００８】
特許文献２の方法は、選択線と同一線上にある非選択セルについて、高抵抗状態のセルが多く、かつ、それらのセルを低抵抗化していく場合は駆動回路の最遠端から書き換えを行う。また、当該方法は、同一配線上に低抵抗状態のセルが多く、かつそれらを高抵抗化していく場合は最近端から書き換えを行う。この方法により、漏れ電流による影響を抑えることができ、書き換えの際の速度劣化を改善し、かつ書き換え後の抵抗値を制御することが容易となる。
【先行技術文献】
【特許文献】
【０００９】
【特許文献１】特開２０１０−２１８６１５号公報（図２、図３）
【特許文献２】特開２００７−２２６８８４号公報（図１０、図１２）
【発明の概要】
【発明が解決しようとする課題】
【００１０】
しかしながら、このような抵抗変化型不揮発性記憶装置では、より安定して初期ブレイク動作を行えることが求められている。【００１１】
上記に鑑み、本発明は、抵抗変化型不揮発性記憶素子を用いた１Ｄ１Ｒ型クロスポイントメモリアレイであって、安定して抵抗変化素子を初期ブレイクできる不揮発性記憶装置を提供することを目的とする。
【課題を解決するための手段】
【００１２】
上記目的を達成するために、本発明の一形態に係る抵抗変化型不揮発性記憶装置は、複数の第１信号線と、前記複数の第１信号線に交差する複数の第２信号線と、前記複数の第１信号線と前記複数の第２信号線との交差点に配置されているメモリセルを複数有するメモリセルアレイとを備える抵抗変化型不揮発性記憶装置であって、前記複数のメモリセルの各々は、予め定められた第１の極性の第１の電圧が印加されると第１範囲に属する抵抗値の低抵抗状態に変化し、かつ前記第１の極性とは逆の極性である第２の極性の第２の電圧が印加されると前記第１範囲よりも高い第２範囲に属する抵抗値の高抵抗状態に変化する抵抗変化素子と、前記抵抗変化素子に直列に接続されている２端子の電流制御素子とを含み、前記抵抗変化型不揮発性記憶装置は、前記メモリセルに、対応する前記第１信号線及び前記第２信号線を介して、絶対値が前記第１の電圧以上の前記第１の極性の低抵抗化電圧を印加することにより、前記抵抗変化素子を前記低抵抗状態に変化させる低抵抗化書き込みと、前記メモリセルに、対応する前記第１信号線及び前記第２信号線を介して、絶対値が前記第２の電圧以上の前記第２の極性の高抵抗化電圧を印加することにより、前記抵抗変化素子を前記高抵抗状態に変化させる高抵抗化書き込みとを行う書き込み回路と、前記複数の第１信号線のいずれかを選択する第１選択回路と、前記複数の第２信号線のいずれかを選択する第２選択回路とを備え、前記複数のメモリセルは、複数のブロックに分割されており、前記複数のブロックの各々は、複数のメモリセルを含み、前記書き込み回路は、さらに、前記抵抗変化型不揮発性記憶装置が製造された後の初期状態の前記抵抗変化素子に対し、対応する前記第１信号線及び前記第２信号線を介して、前記低抵抗化電圧及び前記高抵抗化電圧の絶対値より絶対値が大きい初期ブレイク電圧を印加することにより、前記抵抗変化素子を、前記低抵抗化書き込み及び前記高抵抗化書き込みにより抵抗変化が可能な状態に遷移させる初期ブレイクを行い、前記初期ブレイクにおいて、前記第１選択回路により選択された第１信号線及び前記第２選択回路により選択された第２信号線に、前記第１選択回路及び前記第２選択回路を介して前記初期ブレイク電圧を印加し、前記複数のブロックのうち、前記第１選択回路及び前記第２選択回路の少なくとも一方の回路から最も遠い位置に配置されているブロックから、前記いずれか一方の回路に最も近い位置に配置されているブロックへ向かう順に、順次ブロックを選択し、選択したブロックに含まれる複数のメモリセルに前記初期ブレイクを行う。
【発明の効果】
【００１３】
以上より、本発明は、１Ｄ１Ｒ型クロスポイントメモリアレイにおいて、安定して抵抗変化素子を初期ブレイクできる抵抗変化型不揮発性記憶装置を提供できる。
【図面の簡単な説明】
【００１４】
【図１】図１は、本発明の実施の形態１に係るメモリセルの回路図である。
【図２】図２は、本発明の実施の形態１に係る電流制御素子の電圧−電流特性の一例を示すグラフである。
【図３Ａ】図３Ａは、本発明の実施の形態１に係る単層クロスポイント構造を示す図である。
【図３Ｂ】図３Ｂは、本発明の実施の形態１に係る多層クロスポイント構造を示す図である。
【図４】図４は、本発明の実施の形態１に係るメモリセルの断面構造の例である。
【図５】図５は、本発明の実施の形態１に係る抵抗変化型不揮発性記憶装置の構成を示す図である。
【図６Ａ】図６Ａは、本発明の実施の形態１に係る、電流制限回路、第１ＨＲ化駆動回路及び第２ＬＲ化駆動回路の回路図である。
【図６Ｂ】図６Ｂは、本発明の実施の形態１に係る、第１ＬＲ化駆動回路及び第２ＨＲ化駆動回路の回路図である。
【図７】図７は、本発明の実施の形態１に係る、電流制限回路及び制御回路の回路図である。
【図８】図８は、本発明の実施の形態１に係る、容量負荷回路を含む抵抗変化型不揮発性記憶装置の構成を示す図である。
【図９】図９は、本発明の実施の形態１に係る、容量負荷回路の回路図である。
【図１０】図１０は、本発明の実施の形態１の変形例に係る抵抗変化型不揮発性記憶装置の構成を示す図である。
【図１１Ａ】図１１Ａは、本発明の実施の形態１の変形例に係る、電流制限回路、第１ＨＲ化駆動回路及び第２ＬＲ化駆動回路の回路図である。
【図１１Ｂ】図１１Ｂは、本発明の実施の形態１の変形例に係る、第１ＬＲ化駆動回路及び第２ＨＲ化駆動回路の回路図である。
【図１２】図１２は、本発明の実施の形態１の変形例に係る、電流制限回路及び制御回路の回路図である。
【図１３Ａ】図１３Ａは、本発明の実施の形態１に係る抵抗変化型不揮発性記憶装置の動作を示すタイミングチャートである。
【図１３Ｂ】図１３Ｂは、本発明の実施の形態１に係る抵抗変化型不揮発性記憶装置の動作を示すタイミングチャートである。
【図１４】図１４は、本発明の実施の形態２に係るメモリセルアレイの構成を示す図である。
【図１５】図１５は、本発明の実施の形態２に係る、ブロックの選択順序を示す図である。
【図１６】図１６は、本発明の実施の形態２に係る、ブロックの選択順序を示す図である。
【図１７】図１７は、本発明の実施の形態２に係る、ブロックの選択順序を示す図である。
【図１８】図１８は、本発明の実施の形態２に係る、ブロックの選択順序を示す図である。
【図１９】図１９は、本発明の実施の形態２の変形例に係るメモリセルアレイの構成を示す図である。
【図２０】図２０は、従来のメモリセルアレイ及びその周辺の回路図である。
【図２１】図２１は、従来のメモリセルアレイ及びその周辺の回路に係る、各部の電圧波形を示す図である。
【図２２】図２２は、従来のメモリセルアレイの要部を模式的に示す回路図である。
【図２３】図２３は、従来のデータ書き換え方法により決定された書き換え順序でのデータ書き換え例を示す図である。
【発明を実施するための形態】
【００１５】
（本発明の基礎となった知見）
本願発明者らは、抵抗変化型不揮発性記憶装置の１つとして、電流制御素子と抵抗変化素子とを含むメモリセルを用いた１Ｄ１Ｒ型クロスポイントメモリアレイにおける、初期ブレイク動作の方法を検討した。初期ブレイクを行うと、通常、メモリセルの抵抗値は、製造直後の抵抗値より小さくなる。
【００１６】
抵抗変化型不揮発性記憶装置において、初期ブレイク動作は一般に、アレイ内の駆動回路に近い側から遠い側に向けて行われる。しかしながら、１Ｄ１Ｒ型クロスポイントメモリアレイでは、アレイ内のメモリセルの初期ブレイクが進むに従い、低抵抗状態の抵抗変化素子が増加する。これにより、非選択状態のメモリセルの電流制御素子を介した漏れ電流が増大する。その結果、駆動回路から遠いメモリセルほど初期ブレイク動作が困難になるという課題があることを本発明者は見出した。
【００１７】
上記の問題に鑑み、本実施の形態では、抵抗変化型不揮発性記憶素子を用いた１Ｄ１Ｒ型クロスポイントメモリアレイであって、メモリセルアレイ内の位置によらず、安定して抵抗変化素子を初期ブレイクできる不揮発性記憶装置について説明する。
【００１８】
上記課題を解決するために、本発明の一形態に係る抵抗変化型不揮発性記憶装置は、複数の第１信号線と、前記複数の第１信号線に交差する複数の第２信号線と、前記複数の第１信号線と前記複数の第２信号線との交差点に配置されているメモリセルを複数有するメモリセルアレイとを備える抵抗変化型不揮発性記憶装置であって、前記複数のメモリセルの各々は、予め定められた第１の極性の第１の電圧が印加されると第１範囲に属する抵抗値の低抵抗状態に変化し、かつ前記第１の極性とは逆の極性である第２の極性の第２の電圧が印加されると前記第１範囲よりも高い第２範囲に属する抵抗値の高抵抗状態に変化する抵抗変化素子と、前記抵抗変化素子に直列に接続されている２端子の電流制御素子とを含み、前記抵抗変化型不揮発性記憶装置は、前記メモリセルに、対応する前記第１信号線及び前記第２信号線を介して、絶対値が前記第１の電圧以上の前記第１の極性の低抵抗化電圧を印加することにより、前記抵抗変化素子を前記低抵抗状態に変化させる低抵抗化書き込みと、前記メモリセルに、対応する前記第１信号線及び前記第２信号線を介して、絶対値が前記第２の電圧以上の前記第２の極性の高抵抗化電圧を印加することにより、前記抵抗変化素子を前記高抵抗状態に変化させる高抵抗化書き込みとを行う書き込み回路と、前記複数の第１信号線のいずれかを選択する第１選択回路と、前記複数の第２信号線のいずれかを選択する第２選択回路とを備え、前記複数のメモリセルは、複数のブロックに分割されており、前記複数のブロックの各々は、複数のメモリセルを含み、前記書き込み回路は、さらに、前記抵抗変化型不揮発性記憶装置が製造された後の初期状態の前記抵抗変化素子に対し、対応する前記第１信号線及び前記第２信号線を介して、前記低抵抗化電圧及び前記高抵抗化電圧の絶対値より絶対値が大きい初期ブレイク電圧を印加することにより、前記抵抗変化素子を、前記低抵抗化書き込み及び前記高抵抗化書き込みにより抵抗変化が可能な状態に遷移させる初期ブレイクを行い、前記初期ブレイクにおいて、前記第１選択回路により選択された第１信号線及び前記第２選択回路により選択された第２信号線に、前記第１選択回路及び前記第２選択回路を介して前記初期ブレイク電圧を印加し、前記複数のブロックのうち、前記第１選択回路及び前記第２選択回路の少なくとも一方の回路から最も遠い位置に配置されているブロックから、前記いずれか一方の回路に最も近い位置に配置されているブロックへ向かう順に、順次ブロックを選択し、選択したブロックに含まれる複数のメモリセルに前記初期ブレイクを行う。
【００１９】
この構成によれば、本発明の一形態に係る抵抗変化型不揮発性記憶装置は、初期ブレイク済みのメモリセルへの漏れ電流を低減できる。これにより、当該抵抗変化型不揮発性記憶装置は、選択セルの初期ブレイクに対する当該漏れ電流の影響を低減できる。このように、当該抵抗変化型不揮発性記憶装置は、１Ｄ１Ｒ型クロスポイントメモリアレイにおいて、メモリセルアレイ内の位置によらず、安定して抵抗変化素子を初期ブレイクできる。
【００２０】
また、前記書き込み回路は、選択した各ブロックに含まれる複数のメモリセルのうち、前記第１選択回路及び前記第２選択回路の少なくとも一方の回路から最も遠い位置に配置されているメモリセルから、前記いずれか一方の回路に最も近い位置に配置されているメモリセルへ向かう順に、順次メモリセルを選択し、選択したメモリセルに前記初期ブレイクを行ってもよい。
【００２１】
また、前記書き込み回路は、前記第１選択回路から最も遠い位置に配置されており、かつ前記第２選択回路から最も遠い位置に配置されているブロックから、前記第１選択回路に最も近い位置に配置されており、かつ前記第２選択回路に最も近い位置に配置されているブロックへ向かう順に、ジグザグに順次ブロックを選択し、選択したブロックに含まれる複数のメモリセルに前記初期ブレイクを行ってもよい。
【００２２】
また、前記複数のブロックは、行列状に配置されており、前記書き込み回路は、ブロック単位の行及び列の一方であり、前記第１信号線に沿う方向の複数のラインのうち、前記第２選択回路から最も遠い位置に配置されているラインから、前記第２選択回路に最も近い位置に配置されているラインへ向かう順に、順次ラインを選択し、選択したラインに配置されている複数のブロックのうち、前記第１選択回路から最も遠い位置に配置されているブロックから、前記第１選択回路に最も近い位置に配置されているブロックへ向かう順に、順次ブロックを選択してもよい。
【００２３】
また、前記抵抗変化型不揮発性記憶装置は、さらに、前記第１信号線の前記ブロックの間の各々に設けられている複数のブロック間スイッチを含み、前記書き込み回路は、選択した第１ブロックに含まれる複数のメモリセルの前記初期ブレイクを行ったのち、当該第１ブロックと、当該第１ブロックに対して前記一方の回路側に隣接する第２ブロックとの間に設けられている前記ブロック間スイッチをオフしたうえで、前記第２ブロックに前記初期ブレイクを行ってもよい。
【００２４】
この構成によれば、本発明の一形態に係る抵抗変化型不揮発性記憶装置は、初期ブレイク済みのメモリセルへの漏れ電流をなくすことができる。これにより、当該抵抗変化型不揮発性記憶装置は、当該漏れ電流の影響を受けることなく選択セルを初期ブレイクできるので、さらに安定して抵抗変化素子を初期ブレイクできる。
【００２５】
また、前記抵抗変化型不揮発性記憶装置は、さらに、前記書き込み回路から前記複数のメモリセルへ流れる電流の経路に挿入され、前記複数のメモリセルを高抵抗状態に変化させる第１方向の電流と、前記複数のメモリセルを低抵抗状態に変化させる第２方向の電流とのうち、前記第１方向の電流のみを制限する電流制限回路を備え、前記書き込み回路は、前記初期ブレイクにおいて、前記メモリセルに、前記第２の極性の前記初期ブレイク電圧を印加し、前記電流制限回路は、前記初期ブレイクにおいて、前記経路に流れる前記第１方向の電流を制限してもよい。
【００２６】
この構成によれば、本発明の一形態に係る抵抗変化型不揮発性記憶装置は、初期ブレイク時にメモリセルに流れる電流を制限できる。これにより、当該抵抗変化型不揮発性記憶装置は、１Ｄ１Ｒ型クロスポイントメモリアレイにおいて、電流制御素子の信頼性を損なうことなく抵抗変化素子の初期ブレイクを行うことが可能となる。
【００２７】
また、前記各メモリセルは、接続されている第１信号線と第２信号線とを介して、前記第１信号線の電圧が前記第２信号線の電圧よりも高い前記第１の極性の第１の電圧が印加されたときに前記低抵抗状態に変化し、前記第１の極性とは逆の前記第２の極性の第２の電圧が印加されたときに前記高抵抗状態に変化し、前記書き込み回路は、前記第１の電圧以上の第１駆動電圧を発生する第１駆動回路と、前記第２の電圧以上の第２駆動電圧を発生する第２駆動回路と、前記第１駆動電圧の基準となる電圧を発生する第３駆動回路と、前記第２駆動電圧の基準となる電圧を発生する第４駆動回路とを有し、前記第１選択回路は、前記複数の第１信号線の中から１つの第１信号線を選択し、選択した１つの第１信号線と、前記第１駆動回路及び前記第４駆動回路とを接続し、前記第２選択回路は、前記複数の第２信号線の中から１つの第２信号線を選択し、選択した１つの第２信号線と、前記第２駆動回路及び前記第３駆動回路とを接続し、前記電流制限回路は、前記第４駆動回路と前記第１選択回路との間に挿入されていてもよい。
【００２８】
また、前記各メモリセルは、接続されている第１信号線と第２信号線とを介して、前記第１信号線の電圧が前記第２信号線の電圧よりも高い前記第１の極性の第１の電圧が印加されたときに前記低抵抗状態に変化し、前記第１の極性とは逆の前記第２の極性の第２の電圧が印加されたときに前記高抵抗状態に変化し、前記書き込み回路は、前記第１の電圧以上の第１駆動電圧を発生する第１駆動回路と、前記第２の電圧以上の第２駆動電圧を発生する第２駆動回路と、前記第１駆動電圧の基準となる電圧を発生する第３駆動回路と、前記第２駆動電圧の基準となる電圧を発生する第４駆動回路とを有し、前記第１選択回路は、前記複数の第１信号線の中から１つの第１信号線を選択し、選択した１つの第１信号線と、前記第１駆動回路及び前記第４駆動回路とを接続し、前記第２選択回路は、前記複数の第２信号線の中から１つの第２信号線を選択し、選択した１つの第２信号線と、前記第２駆動回路及び前記第３駆動回路とを接続し、前記電流制限回路は、前記第２駆動回路と前記第２選択回路との間に挿入されていてもよい。
【００２９】
また、前記電流制限回路は、前記初期ブレイク電圧の前記メモリセルへの供給を開始した後、かつ、前記メモリセルが前記初期ブレイクされる前である第１期間において、第１電流値まで前記経路に流れる前記第１方向の電流を制限し、前記第１期間の後であり、かつ、前記メモリセルが前記初期ブレイクされる時点を含む第２期間において、第１電流値より小さい第２電流値まで前記経路に流れる前記第１方向の電流を制限してもよい。
【００３０】
この構成によれば、本発明の一形態に係る抵抗変化型不揮発性記憶装置は、選択された第１信号線又は第２信号線が初期ブレイク電圧に達するまでの時間を短くできる。よって、当該抵抗変化型不揮発性記憶装置は、初期ブレイクを高速に行える。
【００３１】
また、前記電流制限回路は、前記第１信号線又は前記第２信号線の電圧が予め定められた電圧に達したか否かを検出し、前記第１信号線又は前記第２信号線の電圧が前記予め定められた電圧に達した場合に、制限する電流を前記第１電流値から前記第２電流値に変更してもよい。
【００３２】
この構成によれば、本発明の一形態に係る抵抗変化型不揮発性記憶装置は、電流制限を行うタイミングを自動的に制御できる。
【００３３】
また、前記抵抗変化型不揮発性記憶装置は、さらに、容量負荷素子と、前記電流制限回路と前記第１選択回路との間のノードと、前記容量負荷素子との間の導通及び非導通を切り替える選択スイッチとを備え、前記選択スイッチは、前記初期ブレイク時に前記ノードと前記容量負荷素子とを導通させてもよい。
【００３４】
この構成によれば、本発明の一形態に係る抵抗変化型不揮発性記憶装置は、初期ブレイク時における、第１信号線の電圧の変動を抑制できる。よって、当該抵抗変化型不揮発性記憶装置は、さらに安定して初期ブレイクを行える。
【００３５】
また、前記抵抗変化型不揮発性記憶装置は、さらに、容量負荷素子と、前記電流制限回路と前記第２選択回路との間のノードと、前記容量負荷素子との間の導通及び非導通を切り替える選択スイッチとを備え、前記選択スイッチは、前記初期ブレイク時に前記ノードと前記容量負荷素子とを導通させてもよい。
【００３６】
この構成によれば、本発明の一形態に係る抵抗変化型不揮発性記憶装置は、初期ブレイク時における、第２信号線の電圧の変動を抑制できる。よって、当該抵抗変化型不揮発性記憶装置は、さらに安定して初期ブレイクを行える。
【００３７】
また、前記抵抗変化素子は、第１電極と、第２電極と、前記第１電極及び前記第２電極に挟まれた遷移金属酸化物層とを有し、前記遷移金属酸化物層は、前記第１電極と接する酸素不足型の第１の遷移金属酸化物層と、前記第２電極と接し前記第１の遷移金属酸化物層よりも酸素不足度が少ない第２の遷移金属酸化物層とを含んでもよい。
【００３８】
なお、本発明は、このような抵抗変化型不揮発性装置として実現できるだけでなく、抵抗変化型不揮発性装置に含まれる特徴的な手段をステップとする抵抗変化型不揮発性装置の初期ブレイク方法として実現できる。また、本発明は、このような抵抗変化型不揮発性装置を製造する抵抗変化型不揮発性装置の製造方法として実現できる。
【００３９】
さらに、本発明は、このような抵抗変化型不揮発性装置の機能の一部又は全てを実現する半導体集積回路（ＬＳＩ）として実現したり、このような抵抗変化型不揮発性装置を備える記憶装置実現したりできる。
【００４０】
以下、本発明に係る抵抗変化型不揮発性記憶装置の実施形態について、図面を参照して詳細に説明する。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４１】
（実施の形態１）
本発明の実施の形態１に係る抵抗変化型不揮発性記憶装置は、初期ブレイクの際に、書き込み回路からメモリセルへの経路に流れる電流を制限する。これにより、当該抵抗変化型不揮発性記憶装置は、１Ｄ１Ｒ型クロスポイントメモリアレイにおいて、電流制御素子の信頼性を損なうことなく抵抗変化素子の初期ブレイクを行うことが可能となる。
【００４２】
まず、本発明の実施の形態１に係る抵抗変化型不揮発性記憶装置が備えるメモリセルの構成を説明する。
【００４３】
図１は、本発明の実施の形態１に係る抵抗変化型不揮発性記憶装置が備えるメモリセル１０（クロスポイントメモリセル）の回路図である。図１に示すように、本実施の形態では、極性の異なる所定の閾値以上の電圧又は電流の印加によりメモリセル１０の抵抗値が変化する双方向型メモリセルを前提とする。双方向型メモリセル１０は、抵抗変化が双方向の電圧又は電流の印加において生じる抵抗変化型の不揮発性記憶素子である抵抗変化素子１と、この抵抗変化素子１に直列に接続された電流制御素子２とによって構成されている。
【００４４】
抵抗変化素子１は、少なくとも低抵抗状態と高抵抗状態とになり得るものであり、印加される電気的信号に基づいて可逆的に抵抗値（抵抗状態）が変化することにより情報を記憶することができる。すなわち、抵抗変化素子１は、高抵抗状態のときに、抵抗変化素子１への印加電圧の絶対値が所定の第１の電圧を越えたとき、低抵抗状態に変化し、低抵抗状態のときに第１の電圧の印加方向（印加極性）とは反対方向（逆極性）の抵抗変化素子１への印加電圧の絶対値が所定の第２の電圧を越えたとき、高抵抗状態に変化する特性を有する。
【００４５】
双方向ダイオード素子である電流制御素子２は、印加電圧に対して非線形な電流特性を有し、かつ双方向（正電圧領域及び負電圧領域）において電流が流れる双方向性を有する。
【００４６】
図２に電流制御素子２の電圧−電流特性の一例を示す。Ｉｔ（＞０）は閾値電圧を決定する所定の電流値、Ｖ１は第１の閾値電圧（正の閾値電圧）、Ｖ２は第２の閾値電圧（負の閾値電圧）を表す。図２に示すように、この特性は非線形であって、電圧ＶがＶ２＜Ｖ＜Ｖ１を満たす領域では、抵抗が大きく実質的に電流が流れない。このとき、電流制御素子２を流れる電流をＩとすると、Ｉは、−Ｉｔ＜Ｉ＜Ｉｔの関係を満たしている。一方、電圧ＶがＶ≦Ｖ２又はＶ１≦Ｖを満たす領域では、急激に抵抗値が低下して大きな電流が流れるようになる。このとき、Ｖ１≦Ｖを満たす領域においてＩｔ≦Ｉとなり、Ｖ≦Ｖ２を満たす領域においてＩ≦−Ｉｔとなっている。
【００４７】
ここで、閾値電圧は、所定の電流が流れるときの電圧を意味する。ここでの所定の電流とは、閾値電圧を決定するために任意に決めうる値であり、電流制御素子２が制御する素子の特性、又は電流制御素子２の特性によって決まる。通常は、実質的に電流が流れない状態から大きな電流が流れる状態へ切り替わった時点の電流を閾値電流に決定する。
【００４８】
なお、図２では、正電圧時の電流の大きさと負電圧時の電流の大きさが原点対称に記載されているが、これらは必ずしも対称である必要はない。例えば｜Ｖ１｜＜｜Ｖ２｜であったり、｜Ｖ２｜＜｜Ｖ１｜であったりしてもよい。
【００４９】
また、ビット線１１とワード線１２との間に設けられた双方向型メモリセル１０によって、１ビットの記憶素子が実現される。
【００５０】
ここで、図１では、抵抗変化素子１の一端がビット線１１に接続され、抵抗変化素子１の他方の端と電流制御素子２の一端とが接続され、電流制御素子２の他方の端とワード線１２とが接続されているが、抵抗変化素子１の一端をワード線１２に接続し、抵抗変化素子１の他方の端と電流制御素子２の一端とを接続し、電流制御素子２の他方の端とビット線１１とを接続してもよい。
【００５１】
図３Ａ及び図３Ｂはメモリセル１０を含む立体構造を示す概念図である。図３Ａは、いわゆる単層クロスポイントメモリセルの立体構造を示す。図３Ａに示す構造では、直交するように配置されたビット線１１とワード線１２との交点の位置に、ビット線１１とワード線１２とに挟まれてメモリセル１０が配置されている。
【００５２】
図３Ｂはいわゆる多層クロスポイントメモリセルの立体構造を示す。図３Ｂに示す構造は、図３Ａの単層クロスポイントメモリセルが積み重ねられている。
【００５３】
図４は、本発明の実施の形態１に係る抵抗変化素子１を用いた１Ｄ１Ｒ型メモリセル１０の構成（１ビット分の構成）を示す断面図である。図４に示されるように、１Ｄ１Ｒ型メモリセル１０は、通常、抵抗変化素子１と電流制御素子２とから構成されている。
【００５４】
また、図４に示されるように、抵抗変化素子１は、内部電極１５（第１電極）と、抵抗変化層１６と、上部電極１７（第２電極）とを備えている。ここで、抵抗変化層１６は、酸素不足型の遷移金属酸化物で構成された第１の遷移金属酸化物層１６ａと、第１の遷移金属酸化物層１６ａよりも酸素不足度が小さい遷移金属酸化物で構成された第２の遷移金属酸化物層１６ｂとを含む。また、第１の遷移金属酸化物層１６ａと第２の遷移金属酸化物層１６ｂとは積層されている。本発明の実施の形態においては、その一例として、第１の遷移金属と第２の遷移金属とに同種の遷移金属を用いる。例えば、第１の遷移金属酸化物層１６ａとして酸素不足型の第１のタンタル酸化物層を用い、第２の遷移金属酸化物層１６ｂとして第２のタンタル酸化物層を用いる。
【００５５】
ここで、第２のタンタル酸化物層の酸素不足度は、第１のタンタル酸化物層の酸素不足度よりも少ない。言い換えると、第２のタンタル酸化物層の酸素含有率は、第１のタンタル酸化物層の酸素含有率よりも高くなっている。酸素不足度とは、それぞれの遷移金属において、その化学量論的組成の酸化物を構成する酸素の量に対し、不足している酸素の割合をいう。例えば、遷移金属がタンタル（Ｔａ）の場合、化学量論的な酸化物の組成はＴａ２Ｏ５であるので、ＴａＯ２．５と表現できる。ＴａＯ２．５の酸素不足度は０％である。例えばＴａＯ１．５の組成の酸素不足型のタンタル酸化物の酸素不足度は、酸素不足度＝（２．５−１．５）／２．５＝４０％となる。また、酸素含有率とは、当該遷移金属酸化物を構成する総原子数に対する含有酸素原子数の比率である。Ｔａ２Ｏ５の酸素含有率は、総原子数に占める酸素原子数の比率（Ｏ／（Ｔａ＋Ｏ））であり、７１．４ａｔｍ％となる。したがって、酸素不足型のタンタル酸化物は、酸素含有率は０より大きく、７１．４ａｔｍ％より小さいことになる。
【００５６】
製造直後のメモリセルの抵抗値は、第２の遷移金属酸化物層１６ｂの抵抗値を反映して、非常に高い。その後、初期ブレイクを行うことにより、第２の遷移金属酸化物層１６ｂ中に微小なフィラメント(導電パス)が形成されることで、メモリセルの抵抗値は小さくなる。
【００５７】
抵抗変化層１６を構成する金属は、タンタル以外の遷移金属を用いてもよい。遷移金属としては、タンタル（Ｔａ）、チタン（Ｔｉ）、ハフニウム（Ｈｆ）、ジルコニウム（Ｚｒ）、ニオブ（Ｎｂ）、タングステン（Ｗ）等を用いることができる。遷移金属は複数の酸化状態をとることができるため、異なる抵抗状態を酸化還元反応により実現することが可能である。例えば、ハフニウム酸化物を用いて積層構造の抵抗変化層とした場合、第１の遷移金属酸化物層１６ａである第１のハフニウム酸化物層の組成をＨｆＯｘとした場合にｘが０．９以上１．６以下であり、且つ、第２の遷移金属酸化物層１６ｂである第２のハフニウム酸化物層の組成をＨｆＯｙとした場合にｙがｘの値よりも大である場合に、抵抗変化層１６の抵抗値を安定して高速に変化させることが確認できている。この場合、第２のハフニウム酸化物層の膜厚は、３〜４ｎｍが好ましい。また、ジルコニウム酸化物を用いる場合、第１の遷移金属酸化物層１６ａである第１のジルコニウム酸化物層の組成をＺｒＯｘとした場合にｘが０．９以上１．４以下であり、且つ、第２の遷移金属酸化物層１６ｂである第２のジルコニウム酸化物層の組成をＺｒＯｙとした場合にｙがｘの値よりも大である場合に、抵抗変化層１６の抵抗値を安定して高速に変化させることが確認できている。この場合、第２のジルコニウム酸化物層の膜厚は、１〜５ｎｍが好ましい。
【００５８】
また、抵抗変化層１６として、第１の遷移金属で構成される第１の遷移金属酸化物層１６ａと、第１の遷移金属とは異なる第２の遷移金属で構成される第２の遷移金属酸化物層１６ｂとで構成される積層構造を用いてもよい。第２の遷移金属酸化物層１６ｂの酸素不足度は、第１の遷移金属酸化物層１６ａの酸素不足度よりも小さい。言い換えると、第２の遷移金属酸化物層１６ｂの抵抗値は、第１の遷移金属酸化物層１６ａの抵抗値よりも高い。このような構成とすることにより、抵抗変化時に内部電極１５及び上部電極１７間に印加された電圧は、第２の遷移金属酸化物層１６ｂに、より多くの電圧が分配される。これにより、第２の遷移金属酸化物層１６ｂ中で発生する酸化還元反応をより起こしやすくすることができる。
【００５９】
また、第１の遷移金属と第２の遷移金属とに互いに異なる材料を用いる場合、第２の遷移金属の標準電極電位は、第１の遷移金属の標準電極電位より小さい方が好ましい。抵抗が高い第２の遷移金属酸化物層１６ｂ中に形成された微小なフィラメント（導電パス）中で酸化還元反応が起こることで、その抵抗値が変化する。これにより、抵抗変化現象が発生すると考えられるからである。例えば、第１の遷移金属酸化物層１６ａに酸素不足型のタンタル酸化物を用い、第２の遷移金属酸化物層１６ｂにチタン酸化物（ＴｉＯ２）を用いることにより、安定した抵抗変化動作を実現できる。チタン（標準電極電位＝−１．６３ｅＶ）はタンタル（標準電極電位＝−０．６ｅＶ）より標準電極電位が低い材料である。第２の遷移金属酸化物層１６ｂに第１の遷移金属酸化物層１６ａより標準電極電位が小さい金属の酸化物を配置することにより、第２の遷移金属酸化物層１６ｂ中で、より酸化還元反応が発生しやすくなる。
【００６０】
上記の各材料の積層構造の抵抗変化膜における抵抗変化現象は、いずれも抵抗が高い第２の遷移金属酸化物層１６ｂ中に形成された微小なフィラメント中で酸化還元反応が起こることで、その抵抗値が変化し、その結果、発生すると考えられる。つまり、第２の遷移金属酸化物層１６ｂ側の上部電極１７に、内部電極１５を基準にして正の電圧を印加したとき、抵抗変化層１６中の酸素イオンが第２の遷移金属酸化物層１６ｂ側に引き寄せられることで、第２の遷移金属酸化物層１６ｂ中に形成された微小なフィラメント中で酸化反応が発生する。これにより、微小なフィラメントの抵抗が増大すると考えられる。逆に、第２の遷移金属酸化物層１６ｂ側の上部電極１７に、内部電極１５を基準にして負の電圧を印加したとき、第２の遷移金属酸化物層１６ｂ中の酸素イオンが第１の遷移金属酸化物層１６ａ側に押しやられることで、第２の遷移金属酸化物層１６ｂ中に形成された微小なフィラメント中で還元反応が発生する。これにより、微小なフィラメントの抵抗が減少すると考えられる。
【００６１】
酸素不足度がより小さい第２の遷移金属酸化物層１６ｂに接続されている上部電極１７には、例えば、白金（Ｐｔ）、イリジウム（Ｉｒ）、Ｐｄ（パラジウム）、Ａｇ（銀）、Ｎｉ（ニッケル）、Ｗ（タングステン）、Ｃｕ（銅）などを使用できる。ここで、上部電極１７は、第２の遷移金属酸化物層１６ｂを構成する遷移金属及び内部電極１５を構成する材料と比べて標準電極電位がより高い材料で構成する。このような構成とすることにより、上部電極１７と第２の遷移金属酸化物層１６ｂの界面近傍の第２の遷移金属酸化物層１６ｂ中において、選択的に酸化還元反応が発生することで、安定した抵抗変化現象が実現できる。電極材料を構成する金属と抵抗変化層を構成する金属との標準電極電位の差が大きいほど抵抗変化が起こりやすく、差が小さくなるにつれて、抵抗変化が起こりにくくなる。一般に標準電極電位は、酸化され易さの一つの指標であり、この値が大きければ酸化されにくく、小さければ酸化されやすい事を意味する。特に、標準電極電位が高いＰｔ、Ｉｒを電極に用いた場合が、良好な抵抗変化動作が得られるので、望ましい。
【００６２】
電流制御素子２は、下部電極１３と、ダイオード層１４と、内部電極１５とで構成されている。
【００６３】
本実施の形態に係る電流制御素子２は、例えば、タンタル窒化物で構成される下部電極１３と、Ｓｉ３Ｎ４より窒素含有率が小さい窒素不足型のシリコン窒化膜で構成される半導体層１４と、タンタル窒化物で構成される内部電極１５とを備えたＭＳＭダイオードとして構成される。半導体層１４の厚みは例えば３〜２０ｎｍとすることができる。シリコン窒化膜は窒素含有率を小さくすることにより半導体特性を有するように形成することができ、ＭＳＭダイオードとして構成される電流制御素子２を簡単な製造プロセスにより作製することができる。例えば、窒素不足型のシリコン窒化膜（ＳｉＮｚ：０＜ｚ＜１．３３）は、例えばＳｉターゲットを用いた窒素ガス雰囲気中でのリアクティブスパッタリングにより形成することができる。このとき、室温条件で、チャンバーの圧力を０．１Ｐａ〜１Ｐａとし、Ａｒ／Ｎ２流量を１８ｓｃｃｍ／２ｓｃｃｍとして作製すればよい。
【００６４】
ここで、上述した抵抗変化素子１の特性について、メモリセルアレイを構成する抵抗変化素子１ごとに初期ブレイク電圧がばらつく、又は、抵抗変化が開始される状態へ遷移させるために初期に抵抗変化素子に印加する初期ブレイク電圧が高くなるという課題がある。これらの課題は、所定時間、抵抗変化素子１が高抵抗化する向きに電圧を印加し続けることにより解決される。これは、低抵抗化する向きに初期ブレイク電圧を印加すると、メモリセルの抵抗値の急激な減少により過剰にブレイクされ、かつブレイク後の抵抗値もばらつくが、高抵抗化する向きに初期ブレイク電圧を印加すると、ブレイクしても高抵抗状態のメモリセルが自ら保護抵抗として働くためと考えられる。
【００６５】
また、１Ｄ１Ｒ型のメモリセルでは、上記の抵抗変化素子の課題に加え、抵抗変化素子１が初期ブレイクすると同時に抵抗値が下がることにより、電流制御素子２に大電流が流れることによって、電流制御素子２の信頼性が低下するという課題がある。
【００６６】
図５は、本発明の実施の形態１に係る抵抗変化型不揮発性記憶装置１００の構成を示すブロック図である。
【００６７】
図５に示す抵抗変化型不揮発性記憶装置１００は、半導体基板上に形成されたメモリ本体部１０１を備えている。メモリ本体部１０１は、メモリセルアレイ１０２と、行選択回路１０３と、列選択回路１０４と、書き込み回路１０５と、選択ビット線に流れる電流量を検出することで、記憶されているデータが「１」か「０」かを判定する読み出し回路１０６と、端子ＤＱを介して入出力データを入出力するデータ入出力回路１０７とを備えている。
【００６８】
さらに、抵抗変化型不揮発性記憶装置１００は、アドレス入力回路１０８と、制御回路１０９とを備える。アドレス入力回路１０８は、抵抗変化型不揮発性記憶装置１００の外部より与えられるアドレス信号が入力され、アドレス信号で示されるアドレスを選択するようにメモリ本体部１０１に指示する。制御回路１０９は、制御信号が入力され、当該制御信号に応じてメモリ本体部１０１の動作を制御する。
【００６９】
メモリセルアレイ１０２には、ｍ行ｎ列（ｍ、ｎは自然数）のマトリクス状に複数のメモリセルＭｉｊ（ｉ≦ｍ、ｊ≦ｎなる自然数。以下同じものは省略）が配列されている。メモリセルＭｉｊは、抵抗変化素子Ｒｉｊと、正負の双方向に閾値電圧を有する電流制御素子Ｄｉｊとで構成されている。抵抗変化素子Ｒｉｊの一端と、正負の双方向に閾値電圧を有する電流制御素子Ｄｉｊの一端とは接続されている。抵抗変化素子Ｒｉｊの他端はワード線ＷＬｉに、電流制御素子Ｄｉｊの他端はビット線ＢＬｊに接続されている。
【００７０】
本構成では、ビット線ＢＬｊが下層の配線で構成され、紙面内の上下方向に沿って配置される。また、ワード線ＷＬｉはビット線ＢＬｊより上層の配線で構成され、紙面内の左右方向に沿って配置される。
【００７１】
ここで、メモリセルＭｉｊ、抵抗変化素子Ｒｉｊ、電流制御素子Ｄｉｊ、ビット線ＢＬｊ及びワード線ＷＬｉは、上述したメモリセル１０、抵抗変化素子１、電流制御素子２、ビット線１１及びワード線１２に対応する。また、図５では、簡単化のため、２行２列の４ビット分のみ図示している。
【００７２】
ワード線ＷＬｉは、行選択回路１０３に接続され、読み出し又は書き込みモードにおいて択一的に行選択が行われる。またビット線ＢＬｊは、列選択回路１０４に接続され、読み出し又は書き込みモードにおいて択一的に列選択が行われる。
【００７３】
データ入出力回路１０７は、書き込みモードにおいて、データ入力信号Ｄｉｎのデータ“０”又はデータ“１”の書き込み指示に従って、選択されたメモリセルＭｉｊ内の抵抗変化素子Ｒｉｊに対し、低抵抗化又は高抵抗化の書き込みを行う。本実施の形態では、データ“０”書き込みを低抵抗化書き込みに、データ“１”書き込みを高抵抗化書き込みに対応させてある。
【００７４】
書き込み回路１０５は、メモリセルＭｉｊに、対応するビット線ＢＬｊ及びワード線ＷＬｉを介して、上記第１の電圧以上の低抵抗化電圧を印加することにより、抵抗変化素子Ｒｉｊを低抵抗状態に変化させる低抵抗化書き込みを行う。また、書き込み回路１０５は、メモリセルＭｉｊに、対応するビット線ＢＬｊ及びワード線ＷＬｉを介して、上記第２の電圧以上の高抵抗化電圧を印加することにより、抵抗変化素子Ｒｉｊを高抵抗状態に変化させる高抵抗化書き込みを行う。
【００７５】
さらに、書き込み回路１０５は、抵抗変化型不揮発性記憶装置１００が製造された後の初期状態の抵抗変化素子Ｒｉｊに対し、対応するビット線ＢＬｊ及びワード線ＷＬｉを介して、初期ブレイク電圧を印加することにより、当該抵抗変化素子Ｒｉｊに初期ブレイクを行う。ここで、初期ブレイク電圧は、低抵抗化電圧及び高抵抗化電圧より絶対値の大きい電圧であり、高抵抗化電圧と同じ極性の電圧である。また、初期ブレイクとは、初期状態の抵抗変化素子Ｒｉｊを、低抵抗化書き込み及び高抵抗化書き込みにより抵抗変化が可能な状態に遷移させる処理である。
【００７６】
この書き込み回路１０５はデータ入出力回路１０７と接続される。また、書き込み回路１０５は、データ“０”書き込み、すなわち低抵抗化書き込みを行うときにハイレベルを駆動する第１ＬＲ化駆動回路１０５ａ１と、ロウレベルを駆動する第２ＬＲ化駆動回路１０５ｃ２とを有している。また、書き込み回路１０５は、データ“１”書き込み、すなわち高抵抗化書き込みを行うときにハイレベルを駆動する第１ＨＲ化駆動回路１０５ｃ１と、第１ＨＲ化駆動回路１０５ｃ１の出力端子が入力端子に接続されている電流制限回路１０５ｂと、ロウレベルを駆動する第２ＨＲ化駆動回路１０５ａ２とを有している。
【００７７】
電流制限回路１０５ｂは、書き込み回路１０５から複数のメモリセルＭｉｊへ流れる電流の経路に挿入される。この電流制限回路１０５ｂは、複数のメモリセルＭｉｊを高抵抗状態に変化させる第１方向の電流と、複数のメモリセルＭｉｊを低抵抗状態に変化させる第２方向の電流とのうち、第１方向の電流のみを制限する。
【００７８】
そして、抵抗変化型不揮発性記憶装置１００は、メモリセルＭｉｊ中の抵抗変化素子Ｒｉｊの初期ブレイク動作を行うときは、第１ＨＲ化駆動回路１０５ｃ１から、電流制限回路１０５ｂにより電流制限した信号を、行選択回路１０３を介して選択ビット線ＢＬｊに供給することを一つの特徴としている。つまり、電流制限回路１０５ｂは、初期ブレイクにおいて、書き込み回路１０５から複数のメモリセルＭｉｊへ経路に流れる上記第１方向の電流を制限する。
【００７９】
このように構成される抵抗変化型不揮発性記憶装置１００において、ビット線ＢＬｊ及びワード線ＷＬｉが、それぞれ本発明の第１信号線及び第２信号線の一例である。第１ＬＲ化駆動回路１０５ａ１、第１ＨＲ化駆動回路１０５ｃ１、第２ＬＲ化駆動回路１０５ｃ２、及び第２ＨＲ化駆動回路１０５ａ２が、それぞれ本発明の第１駆動回路、第２駆動回路、第３駆動回路、及び第４駆動回路の一例である。電流制限回路１０５ｂが、本発明の電流制限回路の一例である。また、列選択回路１０４及び行選択回路１０３が、それぞれ本発明の第１選択回路及び第２選択回路の一例である。
【００８０】
図６Ａ及び図６Ｂは、図５の書き込み回路１０５の具体的な回路構成の一例を示す図である。図６Ａは、第２ＬＲ化駆動回路１０５ｃ２、第１ＨＲ化駆動回路１０５ｃ１、及び電流制限回路１０５ｂの一例をそれぞれ示している。図６Ｂは、第１ＬＲ化駆動回路１０５ａ１、及び第２ＨＲ化駆動回路１０５ａ２の一例をそれぞれ示している。
【００８１】
第１ＨＲ化駆動回路１０５ｃ１はＰ型ＭＯＳトランジスタＭＰ２で構成され、第２ＬＲ化駆動回路１０５ｃ２はＮ型ＭＯＳトランジスタＭＮ２で構成され、第１ＬＲ化駆動回路１０５ａ１はＰ型ＭＯＳトランジスタＭＰ１で構成され、第２ＨＲ化駆動回路１０５ａ２はＮ型ＭＯＳトランジスタＭＮ１で構成されている。また、電流制限回路１０５ｂは、Ｐ型ＭＯＳトランジスタＭＰ３で構成されている。
【００８２】
初期ブレイク動作時、信号Ｃ＿ＮＨＲはロウレベル、信号Ｃ＿ＬＲはロウレベル、信号Ｃ＿ＮＬＲはハイレベル、信号Ｃ＿ＨＲはハイレベルとなるように、各々制御される。またＰ型ＭＯＳトランジスタＭＰ２のソースには、高抵抗化する向きの初期ブレイク電圧ＶＨＲが供給される。このＰＭＯＳトランジスタＭＰ２は、抵抗変化素子Ｒｉｊを初期ブレイクするのに十分な電圧及び電流を駆動できる能力を有するように設定されている。
【００８３】
初期ブレイク動作を行う時は、信号Ｃ＿ＮＨＲ、信号Ｃ＿ＬＲ、信号Ｃ＿ＮＬＲ及び信号Ｃ＿ＨＲにより、第１ＨＲ化駆動回路１０５ｃ１のＰ型ＭＯＳトランジスタＭＰ２と、第２ＨＲ化駆動回路１０５ａ２のＮ型ＭＯＳトランジスタＭＮ１とがオンする。また、第１ＨＲ化駆動回路１０５ｃ１からの出力電流が、電流制限回路１０５ｂ、ワード線ＷＬｉ、メモリセルＭｉｊ、及びビット線ＢＬｊで構成される経路を介して、第２ＨＲ化駆動回路１０５ａ２に流れ込む。また、電流制限回路１０５ｂの出力電流は、Ｐ型ＭＯＳトランジスタＭＰ３のゲート入力信号ＶＣＬにより、抵抗変化素子１が初期ブレイクするのに必要な電流で、かつ電流制御素子２の信頼性が低下しない電流となるよう制御される。
【００８４】
ここで、電流制限回路１０５ｂのゲート入力信号ＶＣＬは、抵抗変化素子Ｒｉｊが初期ブレイクする時点で、初期ブレイクに必要な電流となるように制御されていればよい。従って初期ブレイク動作開始直後は、ワード線ＷＬｉの電圧が高速に立ち上がるよう、電流制限値を高くしておき、抵抗変化素子Ｒｉｊの初期ブレイクが開始する時点までに、抵抗変化素子Ｒｉｊが初期ブレイクするのに必要な電流で、かつ電流制御素子２の信頼性が低下しない電流となるよう制御するのが望ましい。
【００８５】
この電流制限値の制御は、ワード線ＷＬｉの電圧を検知することにより行ってもよい。つまり、電流制限回路１０５ｂは、ワード線ＷＬｉの電圧が予め定められた電圧に達したか否かを検出し、ワード線ＷＬｉの電圧が上記予め定められた電圧に達した場合に、制限する電流を第１電流値から、第１電流値より小さい第２電流値に変更してもよい。
【００８６】
図７は、ワード線ＷＬｉの電圧を検知して電流制限値を制御する回路の一例を示す図である。この制御回路１１０では、ワード線ＷＬｉの電圧が、ＮＭＯＳトランジスタＭＮ４とＰＭＯＳトランジスタＭＰ４とで構成されるインバータ回路の閾値電圧に達するまでは、インバータ回路の出力電圧は電源電圧ＶＤＤとなる。よって、ＮＭＯＳトランジスタＭＮ５を介して、電流制限回路１０５ｂのゲートにはグランド電位が供給されるため、電流制限回路１０５ｂは多くの電流を流す。
【００８７】
一方、ワード線ＷＬｉの電圧が上記インバータ回路の閾値電圧以上になると、インバータ回路の出力電圧はグランド電位となる。よって、ＰＭＯＳトランジスタＭＰ５を介して、電流制限回路１０５ｂのゲートは電圧ＶＣＬＨまで上昇するため、電流制限回路１０５ｂが流す電流は減少する。上記のインバータ回路の閾値電圧を、抵抗変化素子Ｒｉｊが初期ブレイクする際に必要な電圧に設定し、かつ電流制限回路１０５ｂのゲート入力にＶＣＬＨを与えた時に、ＰＭＯＳトランジスタＭＰ３が電流制御素子２の信頼性を低下させないような電流値になるように設定しておけば、抵抗変化素子が初期ブレイクする時点において、適切な電流制限値を得ることが可能となる。
【００８８】
また、初期ブレイク動作を安定して行うには、抵抗変化素子Ｒｉｊが初期ブレイクする時点で選択ワード線ＷＬｉ及び選択ビット線ＢＬｊの電圧が変動せず、安定していることが望ましい。これは図８のように、電流制限回路１０５ｂと、行選択回路１０３との間に、容量負荷回路１１１を設けることで実現可能である。
【００８９】
図９に容量負荷回路１１１の一例を示す。図９のように、容量負荷回路１１１は、ＮＭＯＳトランジスタＭＮ６及びＰＭＯＳトランジスタＭＰ６で構成される選択スイッチ１１１ｂと、選択スイッチ１１１ｂを介して電流制限回路１０５ｂの出力端子に接続されている容量負荷素子１１１ａとを含む。
【００９０】
選択スイッチ１１１ｂは、電流制限回路１０５ｂと行選択回路１０３との間のノードと、容量負荷素子１１１ａとの間の導通及び非導通を切り替える。
【００９１】
初期ブレイク動作を行う時は、ＮＭＯＳトランジスタＭＮ６のゲート入力信号ＶＮＬを電源電位にし、ＰＭＯＳトランジスタＭＰ６のゲート入力信号ＮＶＮＬをグランド電位にすることで容量負荷素子１１１ａを電流制限回路１０５ｂの出力端子に接続すればよい。
【００９２】
なお、容量負荷回路１１１を設けるのではなく、図５に示す構成において、初期ブレイク動作時に読み出し回路１０６を活性化させることで、当該読み出し回路１０６を容量負荷回路として用いてもよい。
【００９３】
また、電流制限回路１０５ｂは、第１ＨＲ化駆動回路１０５ｃ１側ではなく、第２ＨＲ化駆動回路１０５ａ２側に設けることも可能である。図１０は、実施の形態１の変形例に係る抵抗変化型不揮発性記憶装置１００の構成を示す図である。また、図１１Ａ及び図１１Ｂは、図１０に示す書き込み回路１０５の具体的な回路構成の一例を示している。図１１Ｂに示すように、電流制限回路１０５ｂは、Ｎ型ＭＯＳトランジスタＭＮ３で構成される。図１２は、図１１に示す電流制限回路１０５ｂの電流制限値を制御する制御回路１１０を示している。この場合、制御回路１１０は、ビット線ＢＬｊの電圧を検知して制御を行う。つまり、電流制限回路１０５ｂは、ビット線ＢＬｊの電圧が予め定められた電圧に達したか否かを検出し、ビット線ＢＬｊの電圧が上記予め定められた電圧に達した場合に、制限する電流を第１電流値から、第１電流値より小さい第２電流値に変更してもよい。
【００９４】
次に、実施の形態１に係る抵抗変化型不揮発性記憶装置１００のメモリセルＭｉｊに対し、初期ブレイク動作を行う場合の動作例について、図１３Ａに示すタイミングチャートを参照しながら説明する。
【００９５】
図１３Ａは、本発明の実施の形態１に係る抵抗変化型不揮発性記憶装置１００の動作例を示すタイミングチャートである。以下において、メモリセルＭ１１が選択され、メモリセルＭ１１の初期ブレイク動作が行われる場合についてのみを示す。メモリセルＭ１１が選択セルとなる場合、メモリセルＭ１２はワード線が選択電位となり、ビット線が非選択電位となる非選択セルである。メモリセルＭ２１はワード線が非選択電位となり、ビット線が選択電位となる非選択セルである。メモリセルＭ２２はワード線及びビット線が共に非選択電位となる非選択セルである。
【００９６】
図１３Ａでは、選択セルであるメモリセルＭ１１に流れる電流とあわせて、非選択セルであるメモリセルＭ１２、Ｍ２１及びＭ２２に流れる電流も示している。また電流波形は、ワード線ＷＬｉからビット線ＢＬｊの方向、すなわち抵抗変化素子Ｒｉｊの上部電極１７から内部電極１５の方向に流れる電流を正極性としている。
【００９７】
以下、図１３Ａについて、Ｔ１〜Ｔ４の期間に分けて、その動作を説明する。なお、図１３Ａにおいて、ＶＤＤは抵抗変化型不揮発性記憶装置１００に供給される電源電圧に対応している。
【００９８】
図１３Ａに示すメモリセルＭ１１に対する初期ブレイク動作を行うサイクルにおいては、期間Ｔ１において、全ワード線（ＷＬ１及びＷＬ２）を電圧ＶＰＲ＿ＷＬに、全ビット線（ＢＬ１及びＢＬ２）を電圧ＶＰＲ＿ＢＬにプリチャージしておく。なお、プリチャージ電圧は、ワード線及びビット線の最大振幅の概ね中間電圧に設定されている。
【００９９】
期間Ｔ１に続く期間Ｔ２では、まだ抵抗変化素子Ｒ１１は初期状態である。行選択回路１０３はワード線ＷＬ１を選択し、列選択回路１０４はビット線ＢＬ１を選択する。第１ＨＲ化駆動回路１０５ｃ１は、選択ワード線ＷＬ１を電圧ＶＨＲに駆動し、第２ＨＲ化駆動回路１０５ａ２は、選択ビット線ＢＬ１を０Ｖに駆動する。また、期間Ｔ２及び期間Ｔ３において、電流制限回路１０５ｂに含まれるＰ型ＭＯＳトランジスタＭＰ３のゲート入力信号ＶＣＬは電圧ＶＣＬＨとなる。これにより、期間Ｔ２及び期間Ｔ３において、メモリセルＭ１１に流れる電流が制限される。
【０１００】
以上の動作により、期間Ｔ２において、時間経過とともに選択ワード線ＷＬ１の電位が上昇し、選択ビット線ＢＬ１の電位が降下する。ここで、ビット線ＢＬ１は比較的高速に降下するのに対し、電流制限回路１０５ｂを介して駆動されるワード線ＷＬ１は緩やかに上昇する。
【０１０１】
期間Ｔ３では、抵抗変化素子が初期ブレイクされる。期間Ｔ３では、メモリセルＭ１１に流れる電流値が増加する。また、抵抗変化素子Ｒ１１に、下部電極（内部電極）１５を基準にして上部電極１７に、抵抗変化素子の初期ブレイクに必要な電圧が抵抗変化素子Ｒ１１に印加される。そして所定時間の経過後に、抵抗変化素子Ｒ１１が初期ブレイクされる。
【０１０２】
抵抗変化素子Ｒ１１が初期ブレイクされると共に、メモリセルＭ１１に流れる電流は増加するが、電流制限回路１０５ｂがあるため、電流値は上記の通り設定された値以上増加しない。これにより、ダイオードの信頼性は低下しない。
【０１０３】
その後、期間Ｔ４では、ワード線ＷＬ１及びビット線ＢＬ１の選択が解除される。そして、全ワード線が電圧ＶＰＲ＿ＷＬに、全ビット線が電圧ＶＰＲ＿ＢＬにプリチャージされる。以上により、メモリセルＭ１１の初期ブレイク動作が完了する。
【０１０４】
図１３Ｂは、本発明の実施の形態１に係る抵抗変化型不揮発性記憶装置１００の動作の別の例を示すタイミングチャートである。図１３Ｂでは、信号ＶＣＬは、期間Ｔ２の初めから電圧ＶＣＬＨになるのではなく、期間Ｔ５では、電圧ＶＣＬＨより低い電圧ＶＣＬＬであり、期間Ｔ２の途中から期間Ｔ３の終わりまでの期間Ｔ６の間、電圧ＶＣＬＨになる。
【０１０５】
このように、ワード線ＷＬ１を駆動し始めた期間Ｔ５において、電流制限回路１０５ｂの電流制限値を大きくすることで、選択ワード線ＷＬ１が電圧ＶＨＲに達するまでの時間を短くできる。
【０１０６】
ここで、電流制限回路１０５ｂの電流制限値が大きい期間Ｔ５は、初期ブレイク電圧の選択セルへの供給が開始された後、かつ、選択セルが初期ブレイクされる前の期間でればよい。また、電流制限回路１０５ｂを電流制限値が小さい期間Ｔ６は、期間Ｔ５の後であり、かつ、選択セルが初期ブレイクされる時点を含む期間であればよい。
【０１０７】
また、この図１３Ｂに示す信号ＶＣＬは、上述した図７に示す制御回路１１０により自動的に生成される。なお、この信号ＶＣＬは、予め定められたタイミングに基づき生成されてもよい。
【０１０８】
以上より、本発明の実施の形態１に係る抵抗変化型不揮発性記憶装置１００は、初期ブレイクの際に、書き込み回路１０５からメモリセルへの経路に流れる電流を制限する。これにより、当該抵抗変化型不揮発性記憶装置１００は、１Ｄ１Ｒ型クロスポイントメモリアレイにおいて、電流制御素子Ｄｉｊの信頼性を損なうことなく抵抗変化素子Ｒｉｊの初期ブレイクを行うことが可能となる。
【０１０９】
（実施の形態２）
ここで、メモリセルの初期ブレイクが進むに従って、抵抗変化素子Ｒｉｊの抵抗値が減少するため、非選択セルへの漏れ電流が増加する。これにより、ワード線ＷＬｉ上の電圧降下、及びビット線ＢＬｊ上の電圧上昇により、初期ブレイクが困難になるという課題が生じることを本発明者は見出した。この課題は、メモリセルアレイ１０２内のメモリセルを初期ブレイクする順番を工夫することにより、解決可能である。
【０１１０】
図１４は、本発明の実施の形態２に係る抵抗変化型不揮発性記憶装置１００の構成を示す図である。なお、図１４では、メモリセルアレイ１０２はｍ行ｎ列のマトリクス状となったメモリアレイの一部と、行選択回路１０３、列選択回路１０４、書き込み回路１０５、及び読み出し回路１０６のみを記載している。また、これら以外の構成要素は、例えば、図５と同様である。
【０１１１】
図１４に示すように、メモリセルアレイ１０２は、複数のブロック１２０−１〜１２０−ｘに分割されている。また、各ブロックは、２行×１６列のメモリセルを含む。なお、各ブロックに含まれるメモリセルの数は一例であり、これ以外であってもよい。
【０１１２】
また、以下では、簡単化のため、メモリセルアレイ１０２に含まれる２行×ｎ列のメモリセルに対する動作を説明する。
【０１１３】
本発明の実施の形態２では、書き込み回路１０５は、メモリセルを初期ブレイクする時、最初に行選択回路１０３から最も離れた、ブロック１２０−ｘに含まれる複数のメモリセルの初期ブレイクを行う。ブロック１２０−ｘに含まれる複数のメモリセルの初期ブレイクが完了した後、書き込み回路１０５は、ブロック１２０−ｘ−１に含まれるメモリセルの初期ブレイクを行う。同様に順次、書き込み回路１０５は、初期ブレイクが完了したブロックに隣接し、かつ行選択回路１０３に近い側に隣接したブロックの初期ブレイクを行う。そして、書き込み回路１０５は、最後にブロック１２０−１に含まれる複数のメモリセルの初期ブレイクを行う。
【０１１４】
初期ブレイクが完了したアレイは、抵抗変化素子の抵抗値が減少するため、漏れ電流が増大する。しかしながら、上記の方法で初期ブレイクを行うことにより、初期ブレイクが完了したメモリセルは行選択回路１０３、すなわち書き込み回路１０５からより離れた場所に位置するため、漏れ電流の増加によるワード線の電圧降下の影響が少ない。よって、選択セルに初期ブレイクを安定して行うことができる。
【０１１５】
このように、本発明の実施の形態２では、書き込み回路１０５は、行選択回路１０３に遠い位置に配置されているブロックから、行選択回路１０３に近い位置に配置されているブロックへ向かう順に、順次ブロックを選択し、選択したブロックに含まれる各々のメモリセルに初期ブレイクを行う。したがって、書き込み回路１０５は、ブロック１２０−ｘ、１２０−ｘ−１、・・・、１２０−２、１２０−１の順にブロックを選択する。
【０１１６】
より具体的には、書き込み回路１０５は、ブロック１２０−ｘ内のメモリセルを初期ブレイクするために、まず、ワード線ＷＬ１及びビット線ＢＬｎに初期ブレイク電圧を印加し、この交差点に位置するメモリセルを初期ブレイクする。次に、書き込み回路１０５は、ＷＬ２とＢＬｎ、ＷＬ１とＢＬｎ−１、ＷＬ２とＢＬｎ−１、の順に初期ブレイク電圧を印加し、各々の交差点に位置するメモリセルを初期ブレイクする。つまり、書き込み回路１０５は、選択した各ブロックに含まれる複数のメモリセルのうち、行選択回路１０３から最も遠い位置に配置されているメモリセルから、行選択回路１０３に最も近い位置に配置されているメモリセルへ向かう順に、順次メモリセルを選択し、選択したメモリセルに前記初期ブレイクを行う。
【０１１７】
なお、ＷＬ２とＢＬｎ、ＷＬ１とＢＬｎ−１への初期ブレイク電圧の印加の順序を逆転して、ＷＬ１とＢＬｎ−１、ＷＬ２とＢＬｎ、の順に初期ブレイクを行ってもかまわない。
【０１１８】
以下、ブロック１２０−ｘ−１、・・・、ブロック１２０−２、ブロック１２０−１についても、上述したブロック１２０−ｘと同様の手順で初期ブレイクを行う。
【０１１９】
なお、上述した説明では、書き込み回路１０５は、行選択回路１０３に遠い位置に配置されているブロックから、行選択回路１０３に近い位置に配置されているブロックへ向かう順に、順次ブロックを選択する場合について説明したが、これに代えて、列選択回路１０４に遠い位置に配置されているブロックから、列選択回路１０４に近い位置に配置されているブロックへ向かう順に、順次ブロックを選択して、選択したブロックに含まれる各々のメモリセルに初期ブレイクを行うとしてもよい。
【０１２０】
なお、メモリセルアレイ１０２には、ｍ行ｎ列のマトリクス状に複数のメモリセルが配列されているので、実際のブロックの選択は複雑になる。
【０１２１】
例えば、図１５に示すようなブロック選択の順序が考えられる。図１５ではブロック数を８×８＝６４とした場合について記載している。図１５においては、書き込み回路１０５は、複数存在するワード線のうちの最も上側のワード線（列選択回路１０４から最も遠いワード線）及び複数存在するビット線のうちの最も右側のビット線（行選択回路１０３から最も遠いビット線）が交差するメモリセルを含んでいるブロック（図１５のメモリセルアレイ１０２において右上隅のブロック）から、複数存在するワード線のうちの最も下側のワード線及び複数存在するビット線のうちの最も左側のビット線が交差するメモリセルを含んでいるブロック（図１５の左下隅のブロック）へ向かう順に、ジグザグに順次ブロックを選択してもよい。
【０１２２】
また、書き込み回路１０５は、ジグザグにブロックを選択する順番として、図１６に示す順番を用いてもよい。また、ジグザグにブロックを選択する順番として、図１５及び図１６以外の順番を用いてもよい。例えば、図１５及び図１６では、左、斜め右下、の順番でブロックを選択しているが、この順序に代えて、下、斜め左上、の順番でブロックを選択するとしてもよい。
【０１２３】
また、図１７に示すように、書き込み回路１０５は、列選択回路１０４から最も遠い位置に配置されている、ブロック単位の行（図１７の上端の行）から、列選択回路１０４に最も近い位置に配置されている行（図１７の下端の行）へ向かう順に、順次行を選択し、選択行に配置されている複数のブロックのうち、行選択回路１０３から最も遠い位置に配置されているブロック（図１７の右端のブロック）から、行選択回路１０３に最も近い位置に配置されているブロック（図１７の左端のブロック）へ向かう順に、順次ブロックを選択してもよい。言い換えると、書き込み回路１０５は、列選択回路１０４から最も遠い位置に配置されているワード線（図１７の上端のワード線）から、列選択回路１０４に最も近い位置に配置されているワード線（図１７の下端のワード線）へ向かう順に、順次ワード線を選択し、選択したワード信号線に対応して配置されている複数のブロックのうち、行選択回路１０３から最も遠い位置に配置されているブロック（図１７の右端のブロック）から、行選択回路１０３に最も近い位置に配置されているブロック（図１７の左端のブロック）へ向かう順に、順次ブロックを選択してもよい。
【０１２４】
また、図１８に示すように、書き込み回路１０５は、行選択回路１０３から最も遠い位置に配置されているブロック単位の列（図１８の右端の列）から、行選択回路１０３に最も近い位置に配置されている列（図１８の左端の列）へ向かう順に、順次列を選択し、選択した列に配置されている複数のブロックのうち、列選択回路１０４から最も遠い位置に配置されているブロック（図１８の上端のブロック）から、列選択回路１０４に最も近い位置に配置されているブロック（図１８の下端のブロック）へ向かう順に、順次ブロックを選択してもよい。言い換えると、書き込み回路１０５は、行選択回路１０３から最も遠い位置に配置されているビット線（図１８の右端のビット線）から、行選択回路１０３に最も近い位置に配置されているビット線（図１８の左端のビット線）へ向かう順に、順次ビット線を選択し、選択したビット信号線に対応して配置されている複数のブロックのうち、列選択回路１０４から最も遠い位置に配置されているブロック（図１８の上端のブロック）から、列選択回路１０４に最も近い位置に配置されているブロック（図１８の下端のブロック）へ向かう順に、順次ブロックを選択してもよい。
【０１２５】
言い換えると、複数のブロックは、行列状に配置されている。書き込み回路１０５は、ブロック単位の行及び列の一方であり、第１信号線（ビット線及びワード線の一方）に沿う方向の複数のラインのうち、第２信号線（ビット線及びワード線の他方）を選択する第２選択回路（列選択回路１０４及び行選択回路１０３の一方）から最も遠い位置に配置されているラインから、当該第２選択回路に最も近い位置に配置されているラインへ向かう順に、順次ラインを選択する。そして、書き込み回路１０５は、選択したラインに配置されている複数のブロックのうち、第１信号線（ビット線及びワード線の一方）を選択する第１選択回路（列選択回路１０４及び行選択回路１０３の他方）から最も遠い位置に配置されているブロックから、当該第１選択回路に最も近い位置に配置されているブロックへ向かう順に、順次ブロックを選択する。
【０１２６】
なお、図１５〜図１８に示す例では、ｍ行ｎ列のメモリセルアレイにおいて、行の数と列の数とが等しい例を述べたが、行数ｍと列数ｎとが異なってもよい。例えば、列数ｎが行数ｍより大きい場合、少なくとも、行方向（ワード線に沿った方向：図１５〜図１８の横方向）に対して、電圧供給側から遠い側のブロックから、近い側のブロックに向けて、順次ブロックを選択することが好ましい。また、行数ｍが列数ｎより大きい場合、少なくとも、列方向（ビット線に沿った方向：図１５〜図１８の縦方向）に対して、電圧供給側から遠い側のブロックから、近い側のブロックに向けて、順次ブロックを選択することが好ましい。
【０１２７】
また、図１５〜図１８のいずれの場合でも、各ワード線に対して、当該ワード線の電圧供給側から遠い側のブロックから、近い側のブロックに向けて、順次ブロックが選択され、各ビット線に対して、当該ビット線の電圧供給側から遠い側のブロックから、近い側のブロックに向けて、順次ブロックが選択される。
【０１２８】
また、上記説明では、書き込み回路１０５は、ブロック単位で選択を行っているが、メモリセル単位で選択を行なってもよい。
【０１２９】
また、上記説明では、書き込み回路１０５は、ワード線及びビット線の一端からブレイク電圧を印加しているが、二点以上からブレイク電圧を印加してもよい。言い換えると、２つの行選択回路１０３が、メモリセルアレイ１０２を挟むように、当該メモリセルアレイ１０２の左右に配置されていてもよい。つまり、書き込み回路１０５は、２つの行選択回路１０３を介して、ワード線の両端からブレイク電圧を印加する。この場合、書き込み回路１０５は、メモリセルアレイ１０２の横方向の中央に配置されているブロック（２つの行選択回路１０３の両方から遠い位置に配置されているブロック）から両端に配置されているブロック（２つの行選択回路１０３のいずれかに近い位置に配置されているブロック）に向かう順に、順次ブロックを選択すればよい。同様に、２つの列選択回路１０４が、メモリセルアレイ１０２を挟むように、メモリセルアレイ１０２の上下に配置されていてもよい。
【０１３０】
以下、本発明の実施の形態２の変形例について説明する。
【０１３１】
当該変形例では、初期ブレイクが完了したメモリセルを切断することにより、漏れ電流の影響を完全になくすことができる。
【０１３２】
図１９は、本発明の実施の形態２の変形例に係る、抵抗変化型不揮発性記憶装置１００の構成を示す図である。図１９に示す抵抗変化型不揮発性記憶装置１００は、図１４に示す構成に加え、ワード線のブロック間に設けられている複数のブロック間スイッチ１１２を備える。
【０１３３】
初期ブレイク動作時には、まず、書き込み回路１０５は、スイッチ選択信号ＶＡＳ１〜ｘを電源電位にし、スイッチ選択信号ＮＶＡＳ１〜ｎをグランド電位にする。この状態で、書き込み回路１０５は、ブロック１２０−ｘに含まれる複数のメモリセルの初期ブレイクを行う。
【０１３４】
そして、ブロック１２０−ｘに含まれるメモリセルの初期ブレイクが完了した後、書き込み回路１０５は、スイッチ選択信号ＶＡＳ−ｘをグランド電位にし、ＮＶＡＳ−ｘを電源電位にする。これにより、ブロック１２０−ｘと、ブロック１２０−ｘ−１との間のブロック間スイッチ１１２がオフ状態になる。この状態で、書き込み回路１０５は、ブロック１２０−ｘ−１内のメモリセルの初期ブレイクを行う。同様に順次、書き込み回路１０５は、初期ブレイクが完了したブロックに対して、行選択回路１０３に近い側に隣接したブロック間スイッチ１１２をオフにする。そして、書き込み回路１０５は、その状態で、行選択回路１０３に近い側に隣接したブロックの初期ブレイクを行う。そして、書き込み回路１０５は、最後にブロック１２０−１に含まれる複数のメモリセルの初期ブレイクを行う。
【０１３５】
このように、書き込み回路１０５は、選択した第１ブロックに含まれる複数のメモリセルの初期ブレイクを行ったのち、当該第１ブロックと、当該第１ブロックに対して、ワード線の電圧供給側（行選択回路１０３側）に隣接する第２ブロックとの間に設けられているブロック間スイッチ１１２をオフしたうえで、第２ブロックに初期ブレイクを行う。
【０１３６】
これにより、初期ブレイクが完了したブロックは、選択セルから切断されるため、漏れ電流による影響を受けることなく選択セルに初期ブレイクを行うことが可能となる。
【０１３７】
なお、図１９では、ワード線方向にブロックを分割する場合を説明したが、ビット線方向にブロックを分割してもよい。
【０１３８】
また、上記説明では、上述した実施の形態１の構成に対して、さらに、実施の形態２で説明した特徴を加えた例を説明したが、実施の形態２の特徴のみを有する抵抗変化型不揮発性記憶装置としても、本発明は実現可能である。
【０１３９】
以上、本発明の実施の形態に係る抵抗変化型不揮発性記憶装置について説明したが、本発明は、この実施の形態に限定されるものではない。
【０１４０】
また、上記実施の形態に係る抵抗変化型不揮発性記憶装置に含まれる各処理部は典型的には集積回路であるＬＳＩとして実現される。これらは個別に１チップ化されてもよいし、一部又は全てを含むように１チップ化されてもよい。
【０１４１】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０１４２】
また、上記実施の形態１〜２に係る、抵抗変化型不揮発性記憶装置、及びその変形例の機能のうち少なくとも一部を組み合わせてもよい。
【０１４３】
また、上記で用いた数字は、全て本発明を具体的に説明するために例示するものであり、本発明は例示された数字に制限されない。さらに、ハイ／ロウにより表される論理レベル又はオン／オフにより表されるスイッチング状態は、本発明を具体的に説明するために例示するものであり、例示された論理レベル又はスイッチング状態の異なる組み合わせにより、同等な結果を得ることも可能である。また、トランジスタ等のｎ型及びｐ型等は、本発明を具体的に説明するために例示するものであり、これらを反転させることで、同等の結果を得ることも可能である。また、上記で示した各構成要素の材料は、全て本発明を具体的に説明するために例示するものであり、本発明は例示された材料に制限されない。また、構成要素間の接続関係は、本発明を具体的に説明するために例示するものであり、本発明の機能を実現する接続関係はこれに限定されない。
【０１４４】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１４５】
また、上記説明では、ＭＯＳトランジスタを用いた例を示したが、バイポーラトランジスタ等の他のトランジスタを用いてもよい。
【０１４６】
更に、本発明の主旨を逸脱しない限り、本実施の形態に対して当業者が思いつく範囲内の変更を施した各種変形例も本発明に含まれる。
【産業上の利用可能性】
【０１４７】
本発明は、抵抗変化型不揮発性記憶装置に適用できる。また、本発明は、デジタル家電、メモリカード、携帯型電話機、及びパーソナルコンピュータなどの種々の電子機器に用いられる不揮発性メモリ装置として有用である。
【符号の説明】
【０１４８】
１、Ｒｉｊ    抵抗変化素子
２、Ｄｉｊ    電流制御素子
１０、Ｍｉｊ    メモリセル
１１、ＢＬｊ    ビット線
１２、ＷＬｉ    ワード線
１３    下部電極
１４    ダイオード層
１５    内部電極
１６    抵抗変化層
１６ａ    第１の遷移金属酸化物層
１６ｂ    第２の遷移金属酸化物層
１７    上部電極
１００    抵抗変化型不揮発性記憶装置
１０１    メモリ本体部
１０２    メモリセルアレイ
１０３    行選択回路
１０４    列選択回路
１０５    書き込み回路
１０５ａ１  第１ＬＲ化駆動回路
１０５ａ２  第２ＨＲ化駆動回路
１０５ｂ  電流制限回路
１０５ｃ１  第１ＨＲ化駆動回路
１０５ｃ２  第２ＬＲ化駆動回路
１０６    読み出し回路
１０７    データ入出力回路
１０８    アドレス入力回路
１０９    制御回路
１１０    制御回路
１１１    容量負荷回路
１１１ａ  容量負荷素子
１１１ｂ  選択スイッチ
１１２    ブロック間スイッチ
１２０    ブロック
【図１】
2012164926.tif 000003
【図２】
2012164926.tif 000004
【図３Ａ】
2012164926.tif 000005
【図３Ｂ】
2012164926.tif 000006
【図４】
2012164926.tif 000007
【図５】
2012164926.tif 000008
【図６Ａ】
2012164926.tif 000009
【図６Ｂ】
2012164926.tif 000010
【図７】
2012164926.tif 000011
【図８】
2012164926.tif 000012
【図９】
2012164926.tif 000013
【図１０】
2012164926.tif 000014
【図１１Ａ】
2012164926.tif 000015
【図１１Ｂ】
2012164926.tif 000016
【図１２】
2012164926.tif 000017
【図１３Ａ】
2012164926.tif 000018
【図１３Ｂ】
2012164926.tif 000019
【図１４】
2012164926.tif 000020
【図１５】
2012164926.tif 000021
【図１６】
2012164926.tif 000022
【図１７】
2012164926.tif 000023
【図１８】
2012164926.tif 000024
【図１９】
2012164926.tif 000025
【図２０】
2012164926.tif 000026
【図２１】
2012164926.tif 000027
【図２２】
2012164926.tif 000028
【図２３】
2012164926.tif 000029
【手続補正書】
【提出日】平成24年10月1日(2012.10.1)
【手続補正１】
【補正対象書類名】特許請求の範囲
【補正対象項目名】全文
【補正方法】変更
【補正の内容】
【特許請求の範囲】
【請求項１】
複数の第１信号線と、前記複数の第１信号線に交差する複数の第２信号線と、前記複数の第１信号線と前記複数の第２信号線との交差点に配置されているメモリセルを複数有するメモリセルアレイとを備える抵抗変化型不揮発性記憶装置であって、
前記複数のメモリセルの各々は、予め定められた第１の極性の第１の電圧が印加されると第１範囲に属する抵抗値の低抵抗状態に変化し、かつ前記第１の極性とは逆の極性である第２の極性の第２の電圧が印加されると前記第１範囲よりも高い第２範囲に属する抵抗値の高抵抗状態に変化する抵抗変化素子と、前記抵抗変化素子に直列に接続されている２端子の電流制御素子とを含み、
前記抵抗変化型不揮発性記憶装置は、
前記メモリセルに、対応する前記第１信号線及び前記第２信号線を介して、絶対値が前記第１の電圧以上の前記第１の極性の低抵抗化電圧を印加することにより、前記抵抗変化素子を前記低抵抗状態に変化させる低抵抗化書き込みと、前記メモリセルに、対応する前記第１信号線及び前記第２信号線を介して、絶対値が前記第２の電圧以上の前記第２の極性の高抵抗化電圧を印加することにより、前記抵抗変化素子を前記高抵抗状態に変化させる高抵抗化書き込みとを行う書き込み回路と、
前記複数の第１信号線のいずれかを選択する第１選択回路と、
前記複数の第２信号線のいずれかを選択する第２選択回路とを備え、
前記複数のメモリセルは、複数のブロックに分割されており、
前記複数のブロックの各々は、複数のメモリセルを含み、
前記書き込み回路は、さらに、
前記抵抗変化型不揮発性記憶装置が製造された後の初期状態の前記抵抗変化素子に対し、対応する前記第１信号線及び前記第２信号線を介して、前記低抵抗化電圧及び前記高抵抗化電圧の絶対値より絶対値が大きい初期ブレイク電圧を印加することにより、前記抵抗変化素子を、前記低抵抗化書き込み及び前記高抵抗化書き込みにより抵抗変化が可能な状態に遷移させる初期ブレイクを行い、
前記初期ブレイクにおいて、前記第１選択回路により選択された第１信号線及び前記第２選択回路により選択された第２信号線に、前記第１選択回路及び前記第２選択回路を介して前記初期ブレイク電圧を印加し、
前記複数のブロックのうち、前記第１選択回路及び前記第２選択回路の少なくとも一方の回路から最も遠い位置に配置されているブロックから、前記いずれか一方の回路に最も近い位置に配置されているブロックへ向かう順に、順次ブロックを選択し、選択したブロックに含まれる複数のメモリセルに前記初期ブレイクを行い、
前記書き込み回路は、選択した各ブロックに含まれる複数のメモリセルのうち、前記第１選択回路及び前記第２選択回路の少なくとも一方の回路から最も遠い位置に配置されているメモリセルから、前記いずれか一方の回路に最も近い位置に配置されているメモリセルへ向かう順に、順次メモリセルを選択し、選択したメモリセルに前記初期ブレイクを行う
抵抗変化型不揮発性記憶装置。
【請求項２】
複数の第１信号線と、前記複数の第１信号線に交差する複数の第２信号線と、前記複数の第１信号線と前記複数の第２信号線との交差点に配置されているメモリセルを複数有するメモリセルアレイとを備える抵抗変化型不揮発性記憶装置であって、
前記複数のメモリセルの各々は、予め定められた第１の極性の第１の電圧が印加されると第１範囲に属する抵抗値の低抵抗状態に変化し、かつ前記第１の極性とは逆の極性である第２の極性の第２の電圧が印加されると前記第１範囲よりも高い第２範囲に属する抵抗値の高抵抗状態に変化する抵抗変化素子と、前記抵抗変化素子に直列に接続されている２端子の電流制御素子とを含み、
前記抵抗変化型不揮発性記憶装置は、
前記メモリセルに、対応する前記第１信号線及び前記第２信号線を介して、絶対値が前記第１の電圧以上の前記第１の極性の低抵抗化電圧を印加することにより、前記抵抗変化素子を前記低抵抗状態に変化させる低抵抗化書き込みと、前記メモリセルに、対応する前記第１信号線及び前記第２信号線を介して、絶対値が前記第２の電圧以上の前記第２の極性の高抵抗化電圧を印加することにより、前記抵抗変化素子を前記高抵抗状態に変化させる高抵抗化書き込みとを行う書き込み回路と、
前記複数の第１信号線のいずれかを選択する第１選択回路と、
前記複数の第２信号線のいずれかを選択する第２選択回路とを備え、
前記複数のメモリセルは、複数のブロックに分割されており、
前記複数のブロックの各々は、複数のメモリセルを含み、
前記書き込み回路は、さらに、
前記抵抗変化型不揮発性記憶装置が製造された後の初期状態の前記抵抗変化素子に対し、対応する前記第１信号線及び前記第２信号線を介して、前記低抵抗化電圧及び前記高抵抗化電圧の絶対値より絶対値が大きい初期ブレイク電圧を印加することにより、前記抵抗変化素子を、前記低抵抗化書き込み及び前記高抵抗化書き込みにより抵抗変化が可能な状態に遷移させる初期ブレイクを行い、
前記初期ブレイクにおいて、前記第１選択回路により選択された第１信号線及び前記第２選択回路により選択された第２信号線に、前記第１選択回路及び前記第２選択回路を介して前記初期ブレイク電圧を印加し、
前記複数のブロックのうち、前記第１選択回路及び前記第２選択回路の少なくとも一方の回路から最も遠い位置に配置されているブロックから、前記いずれか一方の回路に最も近い位置に配置されているブロックへ向かう順に、順次ブロックを選択し、選択したブロックに含まれる複数のメモリセルに前記初期ブレイクを行い、
前記書き込み回路は、前記第１選択回路から最も遠い位置に配置されており、かつ前記第２選択回路から最も遠い位置に配置されているブロックから、前記第１選択回路に最も近い位置に配置されており、かつ前記第２選択回路に最も近い位置に配置されているブロックへ向かう順に、ジグザグに順次ブロックを選択し、選択したブロックに含まれる複数のメモリセルに前記初期ブレイクを行う
抵抗変化型不揮発性記憶装置。
【請求項３】
複数の第１信号線と、前記複数の第１信号線に交差する複数の第２信号線と、前記複数の第１信号線と前記複数の第２信号線との交差点に配置されているメモリセルを複数有するメモリセルアレイとを備える抵抗変化型不揮発性記憶装置であって、
前記複数のメモリセルの各々は、予め定められた第１の極性の第１の電圧が印加されると第１範囲に属する抵抗値の低抵抗状態に変化し、かつ前記第１の極性とは逆の極性である第２の極性の第２の電圧が印加されると前記第１範囲よりも高い第２範囲に属する抵抗値の高抵抗状態に変化する抵抗変化素子と、前記抵抗変化素子に直列に接続されている２端子の電流制御素子とを含み、
前記抵抗変化型不揮発性記憶装置は、
前記メモリセルに、対応する前記第１信号線及び前記第２信号線を介して、絶対値が前記第１の電圧以上の前記第１の極性の低抵抗化電圧を印加することにより、前記抵抗変化素子を前記低抵抗状態に変化させる低抵抗化書き込みと、前記メモリセルに、対応する前記第１信号線及び前記第２信号線を介して、絶対値が前記第２の電圧以上の前記第２の極性の高抵抗化電圧を印加することにより、前記抵抗変化素子を前記高抵抗状態に変化させる高抵抗化書き込みとを行う書き込み回路と、
前記複数の第１信号線のいずれかを選択する第１選択回路と、
前記複数の第２信号線のいずれかを選択する第２選択回路とを備え、
前記複数のメモリセルは、複数のブロックに分割されており、
前記複数のブロックの各々は、複数のメモリセルを含み、
前記書き込み回路は、さらに、
前記抵抗変化型不揮発性記憶装置が製造された後の初期状態の前記抵抗変化素子に対し、対応する前記第１信号線及び前記第２信号線を介して、前記低抵抗化電圧及び前記高抵抗化電圧の絶対値より絶対値が大きい初期ブレイク電圧を印加することにより、前記抵抗変化素子を、前記低抵抗化書き込み及び前記高抵抗化書き込みにより抵抗変化が可能な状態に遷移させる初期ブレイクを行い、
前記初期ブレイクにおいて、前記第１選択回路により選択された第１信号線及び前記第２選択回路により選択された第２信号線に、前記第１選択回路及び前記第２選択回路を介して前記初期ブレイク電圧を印加し、
前記複数のブロックのうち、前記第１選択回路及び前記第２選択回路の少なくとも一方の回路から最も遠い位置に配置されているブロックから、前記いずれか一方の回路に最も近い位置に配置されているブロックへ向かう順に、順次ブロックを選択し、選択したブロックに含まれる複数のメモリセルに前記初期ブレイクを行い、
前記複数のブロックは、行列状に配置されており、
前記書き込み回路は、
ブロック単位の行及び列の一方であり、前記第１信号線に沿う方向の複数のラインのうち、前記第２選択回路から最も遠い位置に配置されているラインから、前記第２選択回路に最も近い位置に配置されているラインへ向かう順に、順次ラインを選択し、
選択したラインに配置されている複数のブロックのうち、前記第１選択回路から最も遠い位置に配置されているブロックから、前記第１選択回路に最も近い位置に配置されているブロックへ向かう順に、順次ブロックを選択する
抵抗変化型不揮発性記憶装置。
【請求項４】
複数の第１信号線と、前記複数の第１信号線に交差する複数の第２信号線と、前記複数の第１信号線と前記複数の第２信号線との交差点に配置されているメモリセルを複数有するメモリセルアレイとを備える抵抗変化型不揮発性記憶装置であって、
前記複数のメモリセルの各々は、予め定められた第１の極性の第１の電圧が印加されると第１範囲に属する抵抗値の低抵抗状態に変化し、かつ前記第１の極性とは逆の極性である第２の極性の第２の電圧が印加されると前記第１範囲よりも高い第２範囲に属する抵抗値の高抵抗状態に変化する抵抗変化素子と、前記抵抗変化素子に直列に接続されている２端子の電流制御素子とを含み、
前記抵抗変化型不揮発性記憶装置は、
前記メモリセルに、対応する前記第１信号線及び前記第２信号線を介して、絶対値が前記第１の電圧以上の前記第１の極性の低抵抗化電圧を印加することにより、前記抵抗変化素子を前記低抵抗状態に変化させる低抵抗化書き込みと、前記メモリセルに、対応する前記第１信号線及び前記第２信号線を介して、絶対値が前記第２の電圧以上の前記第２の極性の高抵抗化電圧を印加することにより、前記抵抗変化素子を前記高抵抗状態に変化させる高抵抗化書き込みとを行う書き込み回路と、
前記複数の第１信号線のいずれかを選択する第１選択回路と、
前記複数の第２信号線のいずれかを選択する第２選択回路とを備え、
前記複数のメモリセルは、複数のブロックに分割されており、
前記複数のブロックの各々は、複数のメモリセルを含み、
前記書き込み回路は、さらに、
前記抵抗変化型不揮発性記憶装置が製造された後の初期状態の前記抵抗変化素子に対し、対応する前記第１信号線及び前記第２信号線を介して、前記低抵抗化電圧及び前記高抵抗化電圧の絶対値より絶対値が大きい初期ブレイク電圧を印加することにより、前記抵抗変化素子を、前記低抵抗化書き込み及び前記高抵抗化書き込みにより抵抗変化が可能な状態に遷移させる初期ブレイクを行い、
前記初期ブレイクにおいて、前記第１選択回路により選択された第１信号線及び前記第２選択回路により選択された第２信号線に、前記第１選択回路及び前記第２選択回路を介して前記初期ブレイク電圧を印加し、
前記複数のブロックのうち、前記第１選択回路及び前記第２選択回路の少なくとも一方の回路から最も遠い位置に配置されているブロックから、前記いずれか一方の回路に最も近い位置に配置されているブロックへ向かう順に、順次ブロックを選択し、選択したブロックに含まれる複数のメモリセルに前記初期ブレイクを行い、
前記抵抗変化型不揮発性記憶装置は、さらに、
前記第１信号線の前記ブロックの間の各々に設けられている複数のブロック間スイッチを含み、
前記書き込み回路は、選択した第１ブロックに含まれる複数のメモリセルの前記初期ブレイクを行ったのち、当該第１ブロックと、当該第１ブロックに対して前記一方の回路側に隣接する第２ブロックとの間に設けられている前記ブロック間スイッチをオフしたうえで、前記第２ブロックに前記初期ブレイクを行う
抵抗変化型不揮発性記憶装置。
【請求項５】
前記抵抗変化型不揮発性記憶装置は、さらに、
前記書き込み回路から前記複数のメモリセルへ流れる電流の経路に挿入され、前記複数のメモリセルを高抵抗状態に変化させる第１方向の電流と、前記複数のメモリセルを低抵抗状態に変化させる第２方向の電流とのうち、前記第１方向の電流のみを制限する電流制限回路を備え、
前記書き込み回路は、前記初期ブレイクにおいて、前記メモリセルに、前記第２の極性の前記初期ブレイク電圧を印加し、
前記電流制限回路は、前記初期ブレイクにおいて、前記経路に流れる前記第１方向の電流を制限する
請求項１〜４のいずれか１項に記載の抵抗変化型不揮発性記憶装置。
【請求項６】
前記各メモリセルは、接続されている第１信号線と第２信号線とを介して、前記第１信号線の電圧が前記第２信号線の電圧よりも高い前記第１の極性の第１の電圧が印加されたときに前記低抵抗状態に変化し、前記第１の極性とは逆の前記第２の極性の第２の電圧が印加されたときに前記高抵抗状態に変化し、
前記書き込み回路は、前記第１の電圧以上の第１駆動電圧を発生する第１駆動回路と、前記第２の電圧以上の第２駆動電圧を発生する第２駆動回路と、前記第１駆動電圧の基準となる電圧を発生する第３駆動回路と、前記第２駆動電圧の基準となる電圧を発生する第４駆動回路とを有し、
前記第１選択回路は、前記複数の第１信号線の中から１つの第１信号線を選択し、選択した１つの第１信号線と、前記第１駆動回路及び前記第４駆動回路とを接続し、
前記第２選択回路は、前記複数の第２信号線の中から１つの第２信号線を選択し、選択した１つの第２信号線と、前記第２駆動回路及び前記第３駆動回路とを接続し、
前記電流制限回路は、前記第４駆動回路と前記第１選択回路との間に挿入されている
請求項５記載の抵抗変化型不揮発性記憶装置。
【請求項７】
前記各メモリセルは、接続されている第１信号線と第２信号線とを介して、前記第１信号線の電圧が前記第２信号線の電圧よりも高い前記第１の極性の第１の電圧が印加されたときに前記低抵抗状態に変化し、前記第１の極性とは逆の前記第２の極性の第２の電圧が印加されたときに前記高抵抗状態に変化し、
前記書き込み回路は、前記第１の電圧以上の第１駆動電圧を発生する第１駆動回路と、前記第２の電圧以上の第２駆動電圧を発生する第２駆動回路と、前記第１駆動電圧の基準となる電圧を発生する第３駆動回路と、前記第２駆動電圧の基準となる電圧を発生する第４駆動回路とを有し、
前記第１選択回路は、前記複数の第１信号線の中から１つの第１信号線を選択し、選択した１つの第１信号線と、前記第１駆動回路及び前記第４駆動回路とを接続し、
前記第２選択回路は、前記複数の第２信号線の中から１つの第２信号線を選択し、選択した１つの第２信号線と、前記第２駆動回路及び前記第３駆動回路とを接続し、
前記電流制限回路は、前記第２駆動回路と前記第２選択回路との間に挿入されている
請求項５記載の抵抗変化型不揮発性記憶装置。
【請求項８】
前記電流制限回路は、前記初期ブレイク電圧の前記メモリセルへの供給を開始した後、かつ、前記メモリセルが前記初期ブレイクされる前である第１期間において、第１電流値まで前記経路に流れる前記第１方向の電流を制限し、前記第１期間の後であり、かつ、前記メモリセルが前記初期ブレイクされる時点を含む第２期間において、第１電流値より小さい第２電流値まで前記経路に流れる前記第１方向の電流を制限する
請求項５〜７のいずれか１項に記載の抵抗変化型不揮発性記憶装置。
【請求項９】
前記電流制限回路は、前記第１信号線又は前記第２信号線の電圧が予め定められた電圧に達したか否かを検出し、前記第１信号線又は前記第２信号線の電圧が前記予め定められた電圧に達した場合に、制限する電流を前記第１電流値から前記第２電流値に変更する
請求項８記載の抵抗変化型不揮発性記憶装置。
【請求項１０】
前記抵抗変化型不揮発性記憶装置は、さらに、
容量負荷素子と、
前記電流制限回路と前記第１選択回路との間のノードと、前記容量負荷素子との間の導通及び非導通を切り替える選択スイッチとを備え、
前記選択スイッチは、前記初期ブレイク時に前記ノードと前記容量負荷素子とを導通させる
請求項６記載の抵抗変化型不揮発性記憶装置。
【請求項１１】
前記抵抗変化型不揮発性記憶装置は、さらに、
容量負荷素子と、
前記電流制限回路と前記第２選択回路との間のノードと、前記容量負荷素子との間の導通及び非導通を切り替える選択スイッチとを備え、
前記選択スイッチは、前記初期ブレイク時に前記ノードと前記容量負荷素子とを導通させる
請求項７記載の抵抗変化型不揮発性記憶装置。
【請求項１２】
前記抵抗変化素子は、第１電極と、第２電極と、前記第１電極及び前記第２電極に挟まれた遷移金属酸化物層とを有し、
前記遷移金属酸化物層は、前記第１電極と接する酸素不足型の第１の遷移金属酸化物層と、前記第２電極と接し前記第１の遷移金属酸化物層よりも酸素不足度が少ない第２の遷移金属酸化物層とを含む
請求項１〜１１のいずれか１項に記載の抵抗変化型不揮発性記憶装置。
【国際調査報告】
2012164926.tif 000030
2012164926.tif 000031